(57)【要約】本発明は、ポリアルコキシル化されたグリセリンの新規の（メタ）アクリルエステル、該エステルの単純化された製造法及びそのようにして得ることができる反応混合物の使用に関する。【特許請求の範囲】
【請求項１】
式Ｉａ
【化１】
2005532431.tif 000011
［式中、
ＡＯは各ＡＯに関して互いに無関係にＥＯ又はＰＯを表し、
その際、ＥＯはＯ−ＣＨ２−ＣＨ２−を表し、
ＰＯは互いに無関係にＯ−ＣＨ２−ＣＨ（ＣＨ３）−又はＯ−ＣＨ（ＣＨ３）−ＣＨ２−を表し、
ｐ１＋ｐ２＋ｐ３は３、４又は５であり、
Ｒ１、Ｒ２、Ｒ３は互いに無関係にＨ又はＣＨ３である］
のエステルＦ。
【請求項２】
ＡＯがＥＯを表す、請求項１記載のエステルＦ。
【請求項３】
少なくとも１個のＡＯがＰＯを表し、少なくとももう１個のＡＯがＥＯを表す、請求項１記載のエステルＦ。
【請求項４】
式Ｉｂ
【化２】
2005532431.tif 000012
［式中、
ＥＯはＯ−ＣＨ２−ＣＨ２−を表し、
ＰＯは互いに無関係にＯ−ＣＨ２−ＣＨ（ＣＨ３）−又はＯ−ＣＨ（ＣＨ３）−ＣＨ２−を表し、
ｍ１＋ｍ２＋ｍ３＋ｎ１＋ｎ２＋ｎ３は３、４又は５であり、
ｍ１＋ｍ２＋ｍ３は１、２、３又は４であり、
Ｒ１、Ｒ２、Ｒ３は互いに無関係にＨ又はＣＨ３である］
のエステルＦ。
【請求項５】
式Ｉｃ
【化３】
2005532431.tif 000013
［式中、
ＥＯはＯ−ＣＨ２−ＣＨ２−を表し、
ＰＯは互いに無関係にＯ−ＣＨ２−ＣＨ（ＣＨ３）−又はＯ−ＣＨ（ＣＨ３）−ＣＨ２−を表し、
ｍ１＋ｍ２＋ｍ３＋ｎ１＋ｎ２＋ｎ３は３、４又は５であり、
ｍ１＋ｍ２＋ｍ３は１、２、３又は４であり、
Ｒ１、Ｒ２、Ｒ３は互いに無関係にＨ又はＣＨ３である］
のエステルＦ。
【請求項６】
ｍ１＋ｍ２＋ｍ３＋ｎ１＋ｎ２＋ｎ３、又はｐ１＋ｐ２＋ｐ３が３又は５である、請求項１から５までのいずれか１項記載のエステルＦ。
【請求項７】
全部で３個のＰＯが存在している、請求項１、又は３から６までのいずれか１項記載のエステルＦ。
【請求項８】
グリセリンの３個のアルコキシ鎖のそれぞれの中に少なくとも１個のＰＯが存在している、請求項１又は３から７までのいずれか１項記載のエステルＦ。
【請求項９】
式ＩＩａ、ＩＩｂ又はＩＩｃ
【化４】
2005532431.tif 000014
［式中、
ＡＯ、ＥＯ、ＰＯ、ｎ１、ｎ２、ｎ３、ｍ１、ｍ２、ｍ３、ｐ１、ｐ２、ｐ３は請求項１から８までのいずれか１項に記載された意味を有する］
のアルコキシル化されたグリセリンと（メタ）アクリル酸との請求項１から８までのいずれか１項記載のエステルＦの製造法において、以下の工程：
ａ）アルコキシル化されたグリセリンと（メタ）アクリル酸とを、少なくとも１種のエステル化触媒Ｃ及び少なくとも１種の重合抑制剤Ｄ、並びに場合により、水と共沸混合物を形成する溶剤Ｅの存在で、エステルＦの形成下に反応させる工程
ｂ）場合により、ａ）で生じた水の少なくとも一部を反応混合物から除去する工程、その際、ｂ）を、ａ）の間及び／又は後に行うことができる
ｆ）場合により、反応混合物を中和させる工程
ｈ）溶剤Ｅを使用する場合、場合によりこの溶剤を蒸留により除去する工程、及び／又は
ｉ）反応条件下で不活性であるガスを用いてストリッピングする工程
を含むことを特徴とする、請求項１から８までのいずれか１項記載のエステルＦの製造法。
【請求項１０】
−モル過剰の（メタ）アクリル酸対アルコキシル化されたグリセリンが少なくとも３．１５：１であり、かつ
−最後の工程の後に得られた反応混合物中に含有される、場合により中和された（メタ）アクリル酸が、本質的に反応混合物中に残留する
請求項９記載の方法。
【請求項１１】
（メタ）アクリル酸を、最後の工程の後に得られた、エステルＦを含有する反応混合物から、７５質量％以下分離する、請求項９又は１０記載の方法。
【請求項１２】
最後の工程の後に得られた、エステルＦを含有する反応混合物が、少なくとも２５ｍｇＫＯＨ／ｇのＤＩＮ  ＥＮ３６８２による酸価を有する、請求項９から１１までのいずれか１項記載の方法。
【請求項１３】
最後の工程の後に得られた、エステルＦを含有する反応混合物が、少なくとも０．５質量％の（メタ）アクリル酸の含分を有する、請求項９から１２までのいずれか１項記載の方法。
【請求項１４】
反応ａ）において、（メタ）アクリル酸対アルコキシル化されたグリセリンのモル比が少なくとも１５：１である、請求項９から１３までのいずれか１項記載の方法。
【請求項１５】
架橋されたヒドロゲルの製造法において、以下の工程
ｋ）請求項１から８までのいずれか１項記載のエステルＦと、（メタ）アクリル酸と、場合により付加的なモノエチレン性不飽和化合物Ｎと、並びに場合により、少なくとももう１種の共重合可能な親水性モノマーＭとを、少なくとも１種のラジカル開始剤Ｋ及び場合により少なくとも１種のグラフト基体Ｌの存在で重合させる工程
ｌ）場合により、ｋ）から得られた反応混合物を後架橋させる工程
ｍ）ｋ）又はｌ）から得られた反応混合物を乾燥させる工程、及び
ｎ）場合により、ｋ）、ｌ）又はｍ）から得られた反応混合物を粉砕及び／又は篩別する工程
を含むことを特徴とする、架橋されたヒドロゲルの製造法。
【請求項１６】
架橋されたヒドロゲルの製造法において、請求項９から１４までのいずれか１項記載の工程ａ）からｉ）、及び付加的に、以下の工程
ｋ）進行する場合には工程ａ）からｉ）の１つからの反応混合物と、場合により付加的なモノエチレン性不飽和化合物Ｎと、並びに場合により、少なくとももう１種の共重合可能な親水性モノマーＭとを、少なくとも１種のラジカル開始剤Ｋ及び場合により少なくとも１種のグラフト基体Ｌの存在で重合させる工程
ｌ）場合により、ｋ）から得られた反応混合物を後架橋させる工程
ｍ）ｋ）又はｌ）から得られた反応混合物を乾燥させる工程、及び
ｎ）場合により、ｋ）、ｌ）又はｍ）から得られた反応混合物を粉砕及び／又は篩別する工程
を含むことを特徴とする、架橋されたヒドロゲルの製造法。
【請求項１７】
請求項１５又は１６記載の方法により得ることができるポリマー。
【請求項１８】
架橋されたヒドロゲルにおいて、請求項１から８までのいずれか１項記載のエステルＦで架橋され、重合導入された形の少なくとも１種の親水性モノマーＭを含有することを特徴とする、架橋されたヒドロゲル。
【請求項１９】
架橋されたヒドロゲルにおいて、請求項９から１３までのいずれか１項記載の方法により得ることができるような、エステルＦを含有する反応混合物で架橋され、重合導入された形の少なくとも１種の親水性モノマーＭを含有することを特徴とする、架橋されたヒドロゲル。
【請求項２０】
衛生用品、包装材料における、及び不織布における、請求項１７から１９までのいずれか１項記載のポリマーの使用。
【請求項２１】
物質混合物において、以下：
−請求項１から８までのいずれか１項記載の少なくとも１種のエステルＦ及び（メタ）アクリル酸  ０．１〜４０質量％、
−少なくとも１種の親水性モノマーＭ  ０．５〜９９．９質量％
−少なくとも１種のエステル化触媒Ｃ  ０〜１０質量％
−少なくとも１種の重合抑制剤Ｄ  ０〜５質量％、及び
−溶剤Ｅ  ０〜１０質量％
を含有するが、但し、合計は常に１００質量％であることを特徴とする物質混合物。
【請求項２２】
付加的に、
−希釈剤Ｇ  １００質量％まで
を含有する、請求項２１記載の物質混合物。
【請求項２３】
架橋されたヒドロゲルにおいて、請求項２１又は２２記載の物質混合物と、付加的に以下の工程
ｌ）場合により、得られた反応混合物を後架橋させる工程
ｍ）直接得られたか又はｌ）から得られた反応混合物を乾燥させる工程、及び
ｎ）場合により、直接得られたか又はｌ）又はｍ）から得られた反応混合物を粉砕及び／又は篩別する工程
とから得ることができることを特徴とする、架橋されたヒドロゲル。
【請求項２４】
−吸水性ヒドロゲルのラジカル架橋剤としての
−ポリマー分散液の製造のための出発物質としての
−ポリアクリレートの製造のための出発物質としての
−ラッカー原料としての、又は
−セメント添加物としての、
請求項９から１３までのいずれか１項の記載により得ることができる反応混合物、又は、請求項２１又は２２記載の物質混合物の使用。
【請求項２５】
１０未満、有利に８未満、殊に５未満の鹸化指数を有する、架橋されたヒドロゲル。
【請求項２６】
１１未満、有利に１０未満、殊に有利に８未満、殊に５未満の鹸化指数を有する、請求項１７、１８、１９又は２３のいずれか１項記載の架橋されたヒドロゲル。
【請求項２７】
１０ｐｐｍ未満、有利に８ｐｐｍ未満、殊に有利に５ｐｐｍ未満の残留架橋剤含分を有する、請求項１７、１８、１９、２３、２５又は２６のいずれか１項記載の架橋されたヒドロゲル。
【請求項２８】
水性液体を吸収するヒドロゲルを形成するポリマーを製造するための、請求項１から８までのいずれか１項記載のエステルＦの使用。
【発明の詳細な説明】
【技術分野】
【０００１】
本発明は、ポリアルコキシル化されたグリセリンの新規の（メタ）アクリルエステル、該エステルの単純化された製造法及びそのようにして得ることができる反応混合物の使用に関する。
【０００２】
膨潤可能なヒドロゲルを形成するポリマー、いわゆる高吸収体（Super-Absorbing Polymers, SAP）は先行技術から公知である。これは柔軟な親水性ポリマーの網状構造であり、このポリマーはイオン性の性質並びに非イオン性の性質を有していてもよい。これは、ヒドロゲルを形成しながら水性液体を吸収することができかつ、従って有利にタンポン、おむつ、生理用ナプキン、失禁用品、子供用のトレーニング下着、靴中敷及び体液を吸収する際の他の衛生用品の製造のために使用される。高吸収体は、更に、液体、特に水又は水溶液を吸収する他の工業分野において使用される。この分野は、例えば貯蔵、包装、輸送（水に敏感な製品の包装材料、例えば生花輸送、衝撃保護）；食料品分野（魚、精肉の輸送；鮮魚／肉−包装内での水、血液の吸収）；医薬品（創傷プラスター、火傷包帯用又は他の湿った傷用の吸水性材料）、化粧品（薬理化学物質及び医薬品用の担持材料、リュウマチ用プラスター、超音波ゲル、冷却ゲル、化粧品用増粘剤、サンスクリーン）；油／水−もしくは水／油−エマルション用の増粘剤；繊維製品（手袋、スポーツウェア、繊維製品中の湿分調節、靴中敷）；化学工業的用途（有機反応用の触媒、大きな機能性分子（酵素）の固定、凝集用の接着剤、蓄熱材、濾過助剤、ポリマー積層品中の親水性成分、分散剤、液化剤）；建築物及び構築物、設備（粉末射出成形品、粘土ベースの化粧塗り、振動抑制媒体、水の多い地盤のトンネル掘削の際の助剤、ケーブルコーティング）；水処理、廃棄物処理、水分離（解凍剤、例えば再利用可能な砂嚢）；清浄化；農業工業（灌漑、雪解け水及び結露沈積物の保持、コンポスト添加物、真菌／昆虫による被害からの森林保護、植物に関する作用物質の遅延放出）；防火（火の粉）（ＳＡＰゲルを用いた家屋の被覆もしくは家の壁の被覆、水は著しく高い熱容量を有するため、着火を阻止することができる；火災時、例えば森林火災時のＳＡＰゲルの吹き付け）；熱可塑性ポリマー中での同時押出剤（多層の親水化）シート、水を吸収することができるシート及び熱可塑性成形品の製造（例えば農業用の雨水及び結露水を貯蔵するシート；果実及び野菜の鮮度維持のためのＳＡＰ含有シート、これらは湿ったシートで包装できる；凝結液滴を形成させずに果実及び野菜から出る水を保持し、かつこの水を部分的に果実及び野菜に再び放出し、腐敗及び傷みを生じさせないＳＡＰ；例えば食品用、例えば肉、魚、鳥肉、果実及び野菜の包装用ＳＡＰ−ポリスチレン−同時押出物）；作用物質調製剤中の担持物質（医薬、農薬）である。衛生用品では、この高吸収体は、通常、いわゆる吸収剤コア内に存在し、このコアは他の材料として特に繊維（セルロース繊維）を有し、この繊維は一種の液体リザーバーとして自発的に生じた液体量を中間貯蔵しかつ吸収剤コア内で高吸収体への体液の良好な通路網を保証する。
【０００３】
おむつ構造の最近の傾向は、わずかな割合のセルロース繊維及び高い割合のヒドロゲルを有するより薄い構造体を製造することにある。次第に薄くなるおむつ構造体のこの傾向と共に、水膨潤性の親水性ポリマーに関する要求はこの数年にわたり明らかに変化している。高吸収性のヒドロゲルの開発の初期にはまず最初に単独で著しく高い膨潤能力が強調されていたが、後になって液体を伝達及び分散する高吸収体の能力が極めて重要であることが明らかとなった。従来の高吸収体は表面が液体で濡れた場合に著しく膨潤し始めるため、粒子内部への液体の輸送が著しく困難であるか又は全く停止されてしまうことが明らかとなった。この高吸収体の特性は「ゲルブロッキング」ともいわれる。衛生用品のより高い積載能力（単位面積当たりのポリマー）に基づき、このポリマーは膨潤した状態で、後続する液体のために遮断層を形成してはならない。この製品が良好な輸送特性を示す場合には、全体の衛生用品の最適な利用を保証できる。従って極端な場合に液体の流出、いわゆる衛生用品の漏れを引き起こすこのゲルブロッキングの現象は阻止される。この液体の伝達及び分散はつまり体液の初期の吸収時にも極めて重要である。
【０００４】
良好な輸送特性は、例えば膨潤状態で高いゲル強度を示すヒドロゲルが有している。わずかなゲル強度しか示さないゲルは、適用された圧力（体圧）下で変形可能であり、高吸収体／セルロース繊維−吸収体中の孔を塞ぎ、それにより更に液体を吸収することを妨げてしまう。高めたゲル強度は通常高い架橋によって達成され、それにより確かに製品の保持率は低下する。ゲル強度を高める優れた方法は表面後架橋である。この方法の場合、平均的な架橋密度を有する乾燥した高吸収体を付加的に架橋させる。この表面後架橋により、高吸収体粒子のシェル中の架橋密度は向上し、それにより圧力負荷の下での吸収はより高水準に引き上げられる。高吸収体シェル中での吸収容量は低下する一方で、この高吸収体粒子のコアは可動のポリマー鎖の存在によってシェルと比較して改善された吸収容量を有するため、このシェル構造によってゲルブロッキング効果を生じさせずに、改善された液体伝達が保証される。高吸収体の全体の容量は突発的ではなく、時間的にずらして利用することによって十分に望ましい。この衛生用品は一般に複数回尿にさらされるため、この高吸収体の吸収能力は有利に最初の処置の後に尽きてしまってはならない。
【０００５】
親水性の高膨潤性ヒドロゲルは、殊に、（共）重合した親水性モノマーからなるポリマー、１種又は数種の親水性モノマーの適当なグラフト基体へのグラフト（コ）ポリマー、架橋されたセルロースエーテル又はデンプンエーテル、架橋されたカルボキシメチルセルロース、部分的に架橋されたポリアルキレンオキシド又は水性液体中で膨潤可能な天然生成物、例えばグアール誘導体（Guarderivate）である。そのようなヒドロゲルは、おむつ、タンポン、生理用ナプキン及び他の衛生用品を製造するための水溶液吸収製品として、また、農業園芸における水を保持する材料として使用される。
【０００６】
適用特性、例えばおむつにおける再湿潤及びＡＵＬを改善するために、親水性の高膨潤性ヒドロゲルを一般に表面後架橋又はゲル後架橋させる。この後架橋は当業者に自体公知であり、有利に水性ゲル相中で、又は粉砕及び過篩されたポリマー粒子の表面後架橋として行われる。
【０００７】
ＥＰ２３８０５０号には、高吸収体のための可能な内部架橋剤として、アクリル酸又はメタクリル酸で２ないし３回エステル化された、トリメチロールプロパンへのエチレンオキシド及び／又はプロピレンオキシドの付加生成物が開示されている。
【０００８】
例えば、Sartomer（Exton, PA, USA）から、記載された商品名で、トリメチロールプロパントリアクリレート（ＳＲ３５１）、１×３回エトキシル化されたトリメチロールプロパントリアクリレート（ＳＲ４５４）、２×３回エトキシル化されたトリメチロールプロパントリアクリレート（ＳＲ４９９）、３×３回エトキシル化されたトリメチロールプロパントリアクリレート（ＳＲ５０２）、５×３回エトキシル化されたトリメチロールプロパントリアクリレート（ＳＲ９０３５）及び全部で２０回エトキシル化されたトリメチロールプロパントリアクリレート（ＳＲ４１５）が市販されている。プロポキシル化されたトリメチロールプロパントリアクリレートは、ＳＲ４９２（ＴＭＰ１つ当たり１×３個のＰＯ）及びＣＤ５０１（ＴＭＰ１つ当たり２×３個のＰＯ）なる商品名で得ることができる。グリセリン誘導体として、ＣＤ９０２１なる商品名の高度にプロポキシル化されたグリセリントリアクリレート及びＣＤ９０２０なる商品名のトリプロポキシグリセリントリアクリレートが市販されている。
【０００９】
ＷＯ９３／２１２３７号の記載から、架橋剤としてのアルコキシル化された多価のＣ２〜Ｃ１０−炭化水素の（メタ）アクリレートは公知である。ＳＲ３５１、ＳＲ４５４、ＳＲ５０２、ＳＲ９０３５及びＳＲ４１５に相当するトリメチルプロパン架橋剤が使用されている。これらの架橋剤は、ＴＭＰ１つ当たり０、３、９、１５又は２０個のＥＯ単位を有する。ＷＯ９３／２１２３７号の記載によれば、ＴＭＰ１つ当たり２〜７×３個のＥＯ単位、殊に、ＴＭＰ１つ当たり４〜６×３個のＥＯ単位が有利である。
【００１０】
前記化合物の欠点は、使用物質と副生成物との少なくとも部分的な分離のために、  −上記刊行物において使用されている架橋剤は、０．１質量％未満のアクリル酸の含分を有する−  費用のかかる精製操作が必要である点である。
【００１１】
エトキシル化されたトリメチロールプロパントリ（メタ）アクリレートは、内部架橋剤として特許刊行物に繰り返し記載されており、その際、Sartomerから市販されているＴＭＰ誘導体のみが使用されており、例えば、ＷＯ９８／４７９５１号ではトリメチロールプロパントリエトキシレート−トリアクリレートが使用されており、ＷＯ０１／４１８１８号では、いわゆる高度にエトキシル化されたトリメチロールプロパントリアクリレート（ＨｅＴＭＰＴＡ）としてのSartomer  ＃９０３５が使用されており、ＷＯ０１／５６６２５号ではＳＲ９０３５及びＳＲ−４９２が使用されている。
【００１２】
（メタ）アクリル酸と相応するアルコールとを、抑制剤／抑制剤系並びに場合により溶剤、例えばベンゼン、トルエン、シクロヘキサンの存在で酸性触媒を用いてエステル化することによるそのような高級（メタ）アクリル酸エステルの製造は、一般に公知である。
【００１３】
公知の通り、（メタ）アクリル酸とアルコールとからのエステルの形成は平衡反応に基づいているため、経済的な変換率を達成するためには、通常、使用物質を過剰で使用し、かつ／又は形成されたエステル化水及び／又は目的エステルを平衡から取り除く。
【００１４】
従って、高級（メタ）アクリル酸を製造する際には、通常、反応水を除去し、大抵、過剰の（メタ）アクリル酸が使用される。
【００１５】
ＵＳ４１８７３８３号には、２０〜８０℃の反応温度で、２〜３：１の当量過剰での、（メタ）アクリル酸と有機ポリオールとのエステル化法が記載されている。
【００１６】
前記方法の欠点は、低い反応温度により、反応時間が３５時間までであり、反応混合物中の過剰の酸を、中和及び後続の相分離により除去する点である。
【００１７】
ＷＯ２００１／１４４３８号（Derwent-Abstract No.2001-191644/19）及びＷＯ２００１／１０９２０号（Chemical Abstracts 134:163502）には、（メタ）アクリル酸とポリアルキレングリコールモノアルキルエーテルとを、３：１〜５０：１の割合で、酸及び重合抑制剤の存在でエステル化するための方法、及び、酸性触媒の不活性化の後に、（メタ）アクリル酸エステルと（メタ）アクリル酸とからの残留物をｐＨ１．５〜３．５で共重合させるための方法、並びに、セメント添加物としてのその使用が記載されている。
【００１８】
前記方法の欠点は、ポリアルキレングリコールモノアルキルエーテルに限定されていること、触媒を不活性化させなければならないこと、及び、このような共重合体は官能価がたったの１であるため、ヒドロゲルのための架橋剤として使用することができないことである。
【００１９】
ポリマーのための、殊に高吸収体のためのラジカル架橋剤として使用することのできる他の化合物を提供し、かつ、高吸収体のためのラジカル架橋剤として使用することができる物質のための製造法を単純化するという課題が存在していた。
【００２０】
前記課題は、式Ｉａ：
【００２１】
【化１】
2005532431.tif 000002
［式中、
ＡＯは各ＡＯに関して互いに無関係にＥＯ又はＰＯを表し、
その際、ＥＯはＯ−ＣＨ２−ＣＨ２−を表し、
ＰＯは互いに無関係にＯ−ＣＨ２−ＣＨ（ＣＨ３）−又はＯ−ＣＨ（ＣＨ３）−ＣＨ２−を表し、
ｐ１＋ｐ２＋ｐ３は３、４又は５であり、
Ｒ１、Ｒ２、Ｒ３は互いに無関係にＨ又はＣＨ３である］
のエステルＦを提供することにより解決される。
【００２２】
ＥＯないしＰＯ単位は、ポリエーテルが生じ、かつペルオキシドが生じないように組み込まれている。
【００２３】
ＡＯがＥＯを表す上記エステルＦは有利である。
【００２４】
更に、少なくとも１個のＡＯがＰＯを表し、少なくとももう１個のＡＯがＥＯを表す上記エステルＦは有利である。
【００２５】
更に、前記課題は、式Ｉｂ：
【００２６】
【化２】
2005532431.tif 000003
［式中、
ＥＯはＯ−ＣＨ２−ＣＨ２−を表し、
ＰＯは互いに無関係にＯ−ＣＨ２−ＣＨ（ＣＨ３）−又はＯ−ＣＨ（ＣＨ３）−ＣＨ２−を表し、
ｍ１＋ｍ２＋ｍ３＋ｎ１＋ｎ２＋ｎ３は３、４又は５であり、
ｍ１＋ｍ２＋ｍ３は１、２、３又は４であり、
Ｒ１、Ｒ２、Ｒ３は互いに無関係にＨ又はＣＨ３である］
のエステルＦにより解決されるか、又は式Ｉｃ：
【００２７】
【化３】
2005532431.tif 000004
［式中、
ＥＯはＯ−ＣＨ２−ＣＨ２−を表し、
ＰＯは互いに無関係にＯ−ＣＨ２−ＣＨ（ＣＨ３）−又はＯ−ＣＨ（ＣＨ３）−ＣＨ２−を表し、
ｍ１＋ｍ２＋ｍ３＋ｎ１＋ｎ２＋ｎ３は３、４又は５であり、
ｍ１＋ｍ２＋ｍ３は１、２、３又は４であり、
Ｒ１、Ｒ２、Ｒ３は互いに無関係にＨ又はＣＨ３である］
のエステルＦによっても解決される。
【００２８】
上記のエステルにおいて、ｍ１＋ｍ２＋ｍ３＋ｎ１＋ｎ２＋ｎ３、又はｐ１＋ｐ２＋ｐ３が３であるエステルＦは有利である。
【００２９】
上記のエステルにおいて、ｍ１＋ｍ２＋ｍ３＋ｎ１＋ｎ２＋ｎ３、又はｐ１＋ｐ２＋ｐ３が５であるエステルＦは有利である。
【００３０】
全部で３個のＰＯが存在しているエステルＦは殊に有利である。
【００３１】
グリセリンの３個のアルコキシ鎖のそれぞれの中に少なくとも１個のＰＯが存在しているエステルＦは、極めて殊に有利である。
【００３２】
Ｒ１、Ｒ２及びＲ３が同じであり、殊にＲ１、Ｒ２及びＲ３がＨを表す場合のエステルＦは、極めて殊に有利である。
【００３３】
本発明によれば、上記意味を有する上記式のエステルＦを、水性液体を吸収するヒドロゲルを形成するポリマーの製造のために、殊に内部架橋剤として使用することができる。
【００３４】
他の課題は、以下の工程：
ａ）アルコキシル化されたグリセリンと（メタ）アクリル酸とを、少なくとも１種のエステル化触媒Ｃ及び少なくとも１種の重合抑制剤Ｄ、並びに場合により、水と共沸混合物を形成する溶剤Ｅの存在で、エステルＦの形成下に反応させる工程
ｂ）場合により、ａ）で生じた水の少なくとも一部を反応混合物から除去する工程、その際、ｂ）を、ａ）の間及び／又は後に行うことができる
ｆ）場合により、反応混合物を中和させる工程
ｈ）溶剤Ｅを使用する場合、場合によりこの溶剤を蒸留により除去する工程、及び／又は
ｉ）反応条件下で不活性であるガスを用いてストリッピングする工程
を含む、アルコキシル化されたグリセリンと（メタ）アクリル酸とのエステルＦの製造法により解決される。
【００３５】
この場合有利に、
−モル過剰の（メタ）アクリル酸対アルコキシル化されたグリセリンが３．１５：１であり、かつ
−最後の工程の後に得られた反応混合物中に含有される、場合により中和された（メタ）アクリル酸が、本質的に反応混合物中に残留する。
【００３６】
（メタ）アクリル酸とは、本発明において、メタクリル酸、アクリル酸、又は、メタクリル酸とアクリル酸とからの混合物であると解釈される。アクリル酸が有利である。
【００３７】
純粋な形のエステルＦが所望される場合、エステルＦを公知の分離法により精製することができる。
【００３８】
モル過剰の（メタ）アクリル酸対アルコキシル化されたグリセリンは、少なくとも３．１５：１、有利に少なくとも３．３：１、殊に有利に少なくとも３．７５：１、極めて殊に有利に少なくとも４．５：１、殊に少なくとも７．５：１である。
【００３９】
有利な実施態様の１つにおいて、（メタ）アクリル酸は、例えば、１５：１を上回る、有利に３０：１を上回る、殊に有利に６０：１を上回る、極めて殊に有利に１５０：１を上回る、殊に２２５：１を上回る、特に３００：１を上回る過剰で使用される。
【００４０】
そのようにして得ることができるエステル化生成物は、本質的に他の精製なしに、殊に、過剰の（メタ）アクリル酸及びエステル化触媒Ｃの含分の本質的な分離なしで、ラジカル架橋剤としてヒドロゲル中で使用することができる。
【００４１】
架橋とは、本明細書において別に記載がない限り、ラジカル架橋（ゲル架橋、内部架橋、直鎖又は弱架橋されたポリマーの架橋）であると解釈される。この架橋は、ラジカル重合機序又はカチオン重合機序、又は他の、例えばマイケル付加、エステル化機序又はエステル交換機序を介して、有利にラジカル重合により生じうる。
【００４２】
水性液体を吸収するヒドロゲルを形成するポリマーは、有利に、少なくとも自重の蒸留水、有利に自重の１０倍の蒸留水、殊に自重の２０倍の蒸留水の吸収を伴うポリマーであり、該吸収は有利に０．７ｐｓｉの圧力下でも達成される。
【００４３】
本発明により使用可能なアルコキシル化されたグリセリンは、式ＩＩａ、ＩＩｂ又はＩＩｃ
【００４４】
【化４】
2005532431.tif 000005
［式中、
ＡＯ、ＥＯ、ＰＯ、ｎ１、ｎ２、ｎ３、ｍ１、ｍ２、ｍ３、ｐ１、ｐ２、ｐ３はエステルの場合に記載された意味を有する］
のような構造を有する。
【００４５】
グリセリンとアルキレンオキシドの反応は当業者に自体公知である。可能な実施態様は、Houben-Weyl, Methoden der Organischen Chemie 第４版、１９７９、Thieme Verlag Stuttgart, Hrsg. Heinz Kropf, 第６／１ａ巻、第１部、第３７３〜３８５頁に記載されている。
【００４６】
式ＩＩの化合物を製造するために、例えば、まず、グリセリンとＥＯとを反応させ、その後、引き続きＰＯと反応させるか、又は、まずＰＯと反応させ、その後、ＥＯ又はＰＯ及びＥＯを同時に導入する。
【００４７】
これは、例えば、グリセリン約７７ｇと水中で４５％のＫＯＨ０．５ｇとをオートクレーブ中に装入し、一緒に、８０℃で低下された圧力（約２０ミリバール）で脱水して行うことができる。その後、１２０〜１３０℃で、相応する量のプロピレンオキシドを添加し、この温度で高められた圧力下で反応させる。圧力変化がもはや観察されなくなった時には反応が終了している。その後、１２０℃でなお３０分間、後撹拌する。引き続き、相応する量のエチレンオキシドを１４５〜１５５℃でより長い時間にわたって高められた圧力で供給し、同様に完全に反応させる。不活性ガスで洗浄し、６０℃に冷却した後、触媒を、ピロリン酸ナトリウムの添加及び引き続く濾過により分離する。
【００４８】
本発明により使用可能なポリアルコールの粘度に関して、ポリアルコールが約８０℃までの温度で問題なくポンプ輸送可能であるべきであるということ以外に特別な要求は課されておらず、有利に、ポリアルコールは１０００ｍＰａｓ未満、有利に８００ｍＰａｓ未満、極めて殊に有利に５００ｍＰａｓ未満の粘度を有するべきである。
【００４９】
本発明により使用可能なエステル化触媒Ｃは、硫酸、アリール又はアルキルスルホン酸、又はその混合物である。アリールスルホン酸のための例は、ベンゼンスルホン酸、パラ−トルエンスルホン酸又はドデシルベンゼンスルホン酸である。アルキルスルホン酸のための例は、メタンスルホン酸、エタンスルホン酸又はトリフルオロメタンスルホン酸である。強酸イオン交換体又はゼオライトも、エステル化触媒として使用可能である。硫酸及びイオン交換体は有利である。
【００５０】
本発明により使用可能な重合抑制剤Ｄは、例えばフェノール、例えば、アルキルフェノール、例えばｏ−、ｍ−もしくはｐ−クレゾール（メチルフェノール）、２−ｔ−ブチル−４−メチルフェノール、６−ｔ−ブチル−２，４−ジメチル−フェノール、２，６−ジ−ｔ−ブチル−４−メチルフェノール、２−ｔ−ブチルフェノール、４−ｔ−ブチルフェノール、２，４−ジ−ｔ−ブチルフェノール、２−メチル−４−ｔ−ブチルフェノール、４−ｔ−ブチル−２，６−ジメチルフェノール、又は２，２’−メチレン−ビス−（６−ｔ−ブチル−４−メチルフェノール）、４，４’−オキシジフェニル、３，４−メチレンジオキシジフェノール（セサモール）、３，４−ジメチルフェノール、ヒドロキノン、ピロカテキン（１，２−ジヒドロキシベンゼン）、２−（１’−メチルシクロヘキシ−１’−イル）−４，６−ジメチルフェノール、２−もしくは４−（１’−フェニル−エチ−１’−イル）−フェノール、２−ｔ−ブチル−６−メチルフェノール、２，４，６−トリス−ｔ−ブチルフェノール、２，６−ジ−ｔ−ブチルフェノール、２，４−ジ−ｔ−ブチルフェノール、４−ｔ−ブチルフェノール、ノニルフェノール［１１０６６−４９−２］、オクチルフェノール［１４０−６６−９］、２，６−ジメチルフェノール、ビスフェノールＡ、ビスフェノールＦ、ビスフェノールＢ、ビスフェノールＣ、ビスフェノールＳ、３，３’，５，５’−テトラブロモビスフェノールＡ、２，６−ジ−ｔ−ブチル−ｐ−クレゾール、BASF AG社のKoresin（登録商標）、３，５−ジ−ｔ−ブチル−４−ヒドロキシ安息香酸メチルエステル、４−ｔ−ブチルピロカテキン、２−ヒドロキシベンジルアルコール、２−メトキシ−４−メチルフェノール、２，３，６−トリメチルフェノール、２，４，５−トリメチルフェノール、２，４，６−トリメチルフェノール、２−イソプロピルフェノール、４−イソプロピルフェノール、６−イソプロピル−ｍ−クレゾール、ｎ−オクタデシル−ベータ−（３，５−ジ−ｔ−ブチル−４−ヒドロキシフェニル）プロピオネート、１，１，３−トリス−（２−メチル−４−ヒドロキシ−５−ｔ−ブチルフェニル）ブタン、１，３，５−トリメチル−２，４，６−トリス−（３，５−ジ−ｔ−ブチル−４−ヒドロキシベンジル）ベンゼン、１，３，５−トリス−（３，５−ジ−ｔ−ブチル−４−ヒドロキシベンジル）イソシアヌレート、１，３，５−トリス−（３，５−ジ−ｔ−ブチル−４−ヒドロキシフェニル）−プロピオニルオキシエチル−イソシアヌレート、１，３，５−トリス−（２，６−ジメチル−３−ヒドロキシ−４−ｔ−ブチルベンジル）−イソシアヌレート又はペンタエリトリット−テトラキス−［ベータ−（３，５−ジ−ｔ−ブチル−４−ヒドロキシフェニル）−プロピオネート］、２，６−ジ−ｔ−ブチル−４−ジメチルアミノメチル−フェノール、６−ｓ−ブチル−２，４−ジニトロフェノール、Ciba Spezialitaetenchemie社のIrganox（登録商標）５６５、１１４１、１１９２、１２２２及び１４２５、３−（３’，５’−ジ−ｔ−ブチル−４’−ヒドロキシフェニル）プロピオン酸オクタデシルエステル、３−（３’，５’−ジ−ｔ−ブチル−４’−ヒドロキシフェニル）プロピオン酸ヘキサデ��ルエステル、３−（３’，５’−ジ−ｔ−ブチル−４’−ヒドロキシフェニル）プロピオン酸オクチルエステル、３−チア−１，５−ペンタンジオール−ビス−［（３’，５’−ジ−ｔ−ブチル−４’−ヒドロキシフェニル）プロピオネート］、４，８−ジオキサ−１，１１−ウンデカンジオール−ビス−［（３’，５’−ジ−ｔ−ブチル−４’−ヒドロキシフェニル）プロピオネート］、４，８−ジオキサ−１，１１−ウンデカンジオール−ビス−［（３’−ｔ−ブチル−４’−ヒドロキシ−５’−メチルフェニル）プロピオネート］、１，９−ノナンジオール−ビス−［（３’，５’−ジ−ｔ−ブチル−４’−ヒドロキシフェニル）プロピオネート］、１，７−ヘプタンジアミン−ビス［３−（３’，５’−ジ−ｔ−ブチル−４’−ヒドロキシフェニル）プロピオン酸アミド］、１，１−メタンジアミン−ビス［３−（３’，５’−ジ−ｔ−ブチル−４’−ヒドロキシフェニル）プロピオン酸アミド］、３−（３’，５’−ジ−ｔ−ブチル−４’−ヒドロキシフェニル）プロピオン酸ヒドラジド、３−（３’，５’−ジ−メチル−４’−ヒドロキシフェニル）プロピオン酸ヒドラジド、ビス（３−ｔ−ブチル−５−エチル−２−ヒドロキシ−フェン−１−イル）メタン、ビス（３，５−ジ−ｔ−ブチル−４−ヒドロキシ−フェン−１−イル）メタン、ビス［３−（１’−メチルシクロヘキシ−１’−イル）−５−メチル−２−ヒドロキシ−フェン−１−イル］メタン、ビス（３−ｔ−ブチル−２−ヒドロキシ−５−メチル−フェン−１−イル）メタン、１，１−ビス（５−ｔ−ブチル−４−ヒドロキシ−２−メチル−フェン−１−イル）エタン、ビス（５−ｔ−ブチル−４−ヒドロキシ−２−メチル−フェン−１−イル）スルフィド、ビス（３−ｔ−ブチル−２−ヒドロキシ−５−メチル−フェン−１−イル）スルフィド、１，１−ビス（３，４−ジメチル−２−ヒドロキシ−フェン−１−イル）−２−メチルプロパン、１，１−ビス（５−ｔ−ブチル−３−メチル−３−メチル２−ヒドロキシ−フェン−１−イル）−ブタン、１，３，５−トリス［１’−（３’’，５’’−ジ−ｔ−ブチル−４’’−ヒドロキシ−フェン−１’’−イル）−メチ−１’−イル］−２，４，６−トリメチルベンゼン、１，１，４−トリス（５’−ｔ−ブチル−４’−ヒドロキシ−２’−メチル−フェン−１’−イル）ブタン、アミノフェノール、例えばパラ−アミノフェノール、ニトロソフェノール、例えばパラ−ニトロソフェノール、ｐ−ニトロソ−ｏ−クレゾール、アルコキシフェノール、例えば２−メトキシフェノール（グアジャコール(Guajacol)、ピロカテキンモノメチルエーテル）、２−エトキシフェノール、２−イソプロポキシフェノール、４−メトキシフェノール（ヒドロキノンモノメチルエーテル）、モノ−もしくはジ−ｔ−ブチル−４−メトキシフェノール、３，５−ジ−ｔ−ブチル−４−ヒドロキシアニソール、３−ヒドロキシ−４−メトキシベンジルアルコール、２，５−ジメトキシ−４−ヒドロキシベンジルアルコール（シリンガアルコール）、４−ヒドロキシ−３−メトキシベンズアルデヒド（バニリン）、４−ヒドロキシ−３−エトキシベンズアルデヒド（エチルバニリン）、３−ヒドロキシ−４−メトキシベンズア���デヒド（イソバニリン）、１−（４−ヒドロキシ−３−メトキシ−フェニル）エタノン（アセトバニロン）、オイゲノール、ジヒドロオイゲノール、イソオイゲノール、トコフェロール、例えばアルファ−、ベータ−、ガンマ−、デルタ−及びイプシロン−トコフェロール、トコール、アルファ−トコフェロールヒドロキノン、並びに２，３−ジヒドロ−２，２−ジメチル−７−ヒドロキシベンゾフラン（２，２−ジメチル−７−ヒドロキシクマラン）、キノン及びヒドロキノン、例えばヒドロキノン又はヒドロキノンモノメチルエーテル、２，５−ジ−ｔ−ブチルヒドロキノン、２−メチル−ｐ−ヒドロキノン、２，３−ジメチルヒドロキノン、トリメチルヒドロキノン、４−メチルピロカテキン、ｔ−ブチルヒドロキノン、３−メチルピロカテキン、ベンゾキノン、２−メチル−ｐ−ヒドロキノン、２，３−ジメチルヒドロキノン、トリメチルヒドロキノン、３−メチルピロカテキン、４−メチルピロカテキン、ｔ−ブチルヒドロキノン、４−エトキシフェノール、４−ブトキシフェノール、ヒドロキノンモノベンジルエーテル、ｐ−フェノキシフェノール、２−メチルヒドロキノン、２，５−ジ−ｔ−ブチルヒドロキノン、テトラメチル−ｐ−ベンゾキノン、ジエチル−１，４−シクロヘキサンジオン−２，５−ジカルボキシレート、フェニル−ｐ−ベンゾキノン、２，５−ジメチル−３−ベンジル−ｐ−ベンゾキノン、２−イソプロピル−５−メチル−ｐ−ベンゾキノン（チモキノン）、２，６−ジイソプロピル−ｐ−ベンゾキノン、２，５−ジメチル−３−ヒドロキシ−ｐ−ベンゾキノン、２，５−ジヒドロキシ−ｐ−ベンゾキノン、エンベリン(Embeline)、テトラヒドロキシ−ｐ−ベンゾキノン、２，５−ジメトキシ−１，４−ベンゾキノン、２−アミノ−５−メチル−ｐ−ベンゾキノン、２，５−ビスフェニルアミノ−１，４−ベンゾキノン、５，８−ジヒドロキシ−１，４−ナフトキノン、２−アニリノ−１，４−ナフトキノン、アントラキノン、Ｎ，Ｎ−ジメチルインドアニリン、Ｎ，Ｎ−ジフェニル−ｐ−ベンゾキノンジイミン、１，４−ベンゾキノンジオキシム、コエルリグノン(Coerulignon)、３，３’−ジ−ｔ−ブチル−５，５’−ジメチルジフェノキノン、ｐ−ロゾール酸（アウリン）、２，６−ジ−ｔ−ブチル−４−ベンジリデン−ベンゾキノン、２，５−ジ−ｔ−アミルヒドロキノン、Ｎ−オキシル、例えば４−ヒドロキシ−２，２，６，６−テトラメチル−ピペリジン−Ｎ−オキシル、４−オキソ−２，２，６，６−テトラメチル−ピペリジン−Ｎ−オキシル、４−アセトキシ−２，２，６，６−テトラメチル−ピペリジン−Ｎ−オキシル、２，２，６，６−テトラメチル−ピペリジン−Ｎ−オキシル、４，４’，４’’−トリス（２，２，６，６−テトラメチル−ピペリジン−Ｎ−オキシル）−ホスフィット、３−オキソ−２，２，５，５−テトラメチル−ピロリジン−Ｎ−オキシル、１−オキシル−２，２，６，６−テトラメチル−４−メトキシピペリジン、１−オキシル−２，２，６，６−テトラメチル−４−トリメチルシリルオキシピペリジン、１−オキシル−２，２，６，６−テトラメチルピペリジン−４−イル−２−エチルヘキサノエート、１−オキシル−２，２，６，６−テトラメチルピ��リジン−４−イル−ステアレート、１−オキシル−２，２，６，６−テトラメチルピペリジン−４−イル−ベンゾエート、１−オキシル−２，２，６，６−テトラメチルピペリジン−４−イル−（４−ｔ−ブチル）ベンゾエート、ビス（１−オキシル−２，２，６，６−テトラメチルピペリジン−４−イル）−スクシネート、ビス（１−オキシル−２，２，６，６−テトラメチルピペリジン−４−イル）−アジペート、１，１０−デカン二酸−ビス（１−オキシル−２，２，６，６−テトラメチルピペリジン−４−イル）−エステル、ビス（１−オキシル−２，２，６，６−テトラメチルピペリジン−４−イル）−ｎ−ブチルマロネート、ビス（１−オキシル−２，２，６，６−テトラメチルピペリジン−４−イル）−フタレート、ビス（１−オキシル−２，２，６，６−テトラメチルピペリジン−４−イル）−イソフタレート、ビス（１−オキシル−２，２，６，６−テトラメチルピペリジン−４−イル）−テレフタレート、ビス（１−オキシル−２，２，６，６−テトラメチルピペリジン−４−イル）−ヘキサヒドロテレフタレート、Ｎ，Ｎ−ビス（１−オキシル−２，２，６，６−テトラメチルピペリジン−４−イル）−アジピンアミド、Ｎ−（１−オキシル−２，２，６，６−テトラメチルピペリジン−４−イル）−カプロラクタム、Ｎ−（１−オキシル−２，２，６，６−テトラメチルピペリジン−４−イル）−ドデシルスクシンイミド、２，４，６−トリス−［Ｎ−ブチル−Ｎ−（１−オキシル−２，２，６，６−テトラメチルピペリジン−４−イル］トリアジン、Ｎ，Ｎ’−ビス（１−オキシル−２，２，６，６−テトラメチルピペリジン−４−イル）−Ｎ，Ｎ’−ビス−ホルミル−１，６−ジアミノヘキサン、４，４’−エチレンビス（１−オキシル−２，２，６，６−テトラメチルピペラジン−３−オン）、芳香族アミン、例えばフェニレンジアミン、Ｎ，Ｎ−ジフェニルアミン、Ｎ−ニトロソ−ジフェニルアミン、ニトロソジエチルアニリン、Ｎ，Ｎ’−ジアルキル−パラ−フェニレンジアミン、この場合アルキル基は、同一でも異なっていてもよく、それぞれ互いに独立に１〜４個の炭素原子からなり、直鎖又は分枝鎖であってもよく、例えばＮ，Ｎ’−ジ−イソ−ブチル−ｐ−フェニレンジアミン、Ｎ，Ｎ−ジ−イソ−プロピル−ｐ−フェニレンジアミン、Ciba Spezialitaetenchemie社のIrganox５０５７、ｐ−フェニレ
ンジアミン、Ｎ−フェニル−ｐ−フェニレンジアミン、Ｎ，Ｎ’−ジフェニル−ｐ−フェニレンジアミン、Ｎ−イソプロピル−Ｎ−フェニル−ｐ−フェニレンジアミン、Ｎ，Ｎ’−ジ−ｓ−ブチル−ｐ−フェニレンジアミン（BASF AG社のKerobit（登録商標） BPD）、Ｎ−フェニル−Ｎ’−イソプロピル−ｐ−フェニレンジアミン（Bayer AGのVulkanox（登録商標）４０１０）、Ｎ−（１，３−ジメチルブチル）−Ｎ’−フェニル−ｐ−フェニレンジアミン、Ｎ−フェニル−２−ナフチルアミン、イミノジベンジル、Ｎ，Ｎ’−ジフェニルベンジジン、Ｎ−フェニルテトラアニリン、アクリドン、３−ヒドロキシジフェニルアミン、４−ヒドロキシジフェニルアミン、ヒドロキシルアミン、例えばＮ，Ｎ−ジエチルヒドロキシルアミン、尿素誘導体、例えば尿素又はチオ尿素、リン含有化合物、例えばトリフェニルホスフィン、トリフェニルホスフィット、次亜リン酸又はトリエチルホスフィット、硫黄含有化合物、例えばジフェニルスルフィド、フェノチアジン、又は金属塩、例えば塩化銅、塩化マンガン、塩化セシウム、塩化ニッケル、塩化クロム、ジチオカルバミド酸銅、ジチオカルバミド酸マンガン、ジチオカルバミド酸セシウム、ジチオカルバミド酸ニッケル、ジチオカルバミド酸クロム、硫酸銅、硫酸マンガン、硫酸セシウム、硫酸ニッケル、硫酸クロム、サリチル酸銅、サリチル酸マンガン、サリチル酸セシウム、サリチル酸ニッケル、サリチル酸クロム、又は酢酸銅、酢酸マンガン、酢酸セシウム、酢酸ニッケル、酢酸クロム又はその混合物である。上記のフェノール及びキノリンは有利であり、ヒドロキノン、ヒドロキノンモノメチルエーテル、２−ｔ−ブチル−４−メチルフェノール、６−ｔ−ブチル−２，４−ジメチル−フェノール、２，６−ジ−ｔ−ブチル−４−メチルフェノール、２，４−ジ−ｔ−ブチルフェノール、トリフェニルホスフィット、次亜リン酸、ＣｕＣｌ２及びグアジャコールは殊に有利であり、ヒドロキノン及びヒドロキノンモノメチルエーテルは極めて殊に有利である。
【００５１】
場合によりトリフェニルホスフィット及び／又は次亜リン酸と組み合わせられた、ヒドロキノンモノメチルエーテル、ヒドロキノン及びアルキルフェノールは殊に有利である。
【００５２】
安定化を更に促進するために、酸素含有ガス、有利に空気、又は、空気と窒素とから成る混合物（希薄空気）が存在していてよい。
【００５３】
上記の安定剤の中で、好気性である安定剤、即ち、その抑制作用を十分に発揮するために酸素の存在が必要である安定剤が有利である。
【００５４】
本発明により使用可能な溶剤Ｅは、殊に、所望の場合には反応水の共沸除去のために適当な溶剤であり、とりわけ、脂肪族、脂環式及び芳香族炭化水素又はその混合物である。
【００５５】
有利に、ｎ−ペンタン、ｎ−ヘキサン、ｎ−ヘプタン、シクロヘキサン、メチルシクロヘキサン、ベンゼン、トルエン又はキシレンが使用される。シクロヘキサン、メチルシクロヘキサン及びトルエンは殊に有利である。
【００５６】
エステル化のために、例えば冒頭に記載された、又はＤＥ−Ａ１９９４１１３６号、ＤＥ−Ａ３８４３８４３号、ＤＥ−Ａ３８４３８５４号、ＤＥ−Ａ１９９３７９１１号、ＤＥ−Ａ１９９２９２５８号、ＥＰ−Ａ３３１８４５号、ＥＰ５５４６５１号、又はＵＳ４１８７３８３号に記載された当業者に公知の多価アルコールの製造方法及び／又は後処理法を使用することができる。
【００５７】
一般に、エステル化は以下のように実施することができる：
エステル化装置は、撹拌反応器、有利に、循環蒸発器及び凝縮器と相分離容器とを有する取り付けられた蒸留ユニットを有する反応器から成る。
【００５８】
反応器は、例えば二重ジャケット加熱装置及び／又は内部加熱コイルを有する反応器であってよい。有利に、外部熱交換器及び自然循環又は強制的循環、即ちポンプを使用する循環、特に有利に機械的補助手段を使用しないで循環を行う自然循環を有する反応器を使用する。
【００５９】
当然のことながら、多数の反応帯域、例えば２〜４個、有利に２又は３個の反応器から成る反応器カスケード中で反応を実施することもできる。
【００６０】
適当な循環蒸発器は当業者に公知であり、例えばR. Billet, Verdampfertechnik, HTB-Verlag, Bibliographisches Institut Mannheim, 1965, 53に記載されている。循環蒸発器の例は、管束型熱交換器、プレート型熱交換器等である。
【００６１】
当然のことながら、循環内に複数の熱交換器が存在してよい。
【００６２】
蒸留ユニットは自体公知の構造のものである。この場合、場合により飛沫よけが取り付けられた簡単な蒸留ユニットであってもよく、又は精留塔であってもよい。塔内部構造物として、原則的に全ての慣用の内部構造物、例えばトレー、充填物及び／又は堆積物である。トレーのうち、泡鐘トレー、多孔板トレー、バルブトレー、トールマン(Thormann)トレー及び／又はデュアルフロートレーが有利であり、堆積物のうち、リング、コイル、サドル又はひも状物を有するものが有利である。
【００６３】
一般に、５〜２０個の理論段で十分である。
【００６４】
凝縮器及び分離容器は慣用の構造のものである。
【００６５】
（メタ）アクリル酸及びアルコキシル化されたグリセリンは、エステル化ａ）において、通常、上記のようなモル過剰で使用される。使用される過剰は、所望の場合には約３０００：１までであってよい。
【００６６】
エステル化触媒Ｃとして、上記のものが該当する。
【００６７】
エステル化触媒Ｃは、通常、エステル化混合物に対して０．１〜５質量％、有利に０．５〜５質量％、殊に有利に１〜４質量％、極めて殊に有利に２〜４質量％の量で使用される。
【００６８】
必要な場合には、イオン交換体を用いて反応混合物からエステル化触媒を除去することができる。この場合、イオン交換体を反応混合物中に直接与え、引き続き濾別してもよいし、反応混合物をイオン交換体堆積物に導通させてもよい。
【００６９】
有利に、エステル化触媒は反応混合物中に放置される。しかしながら、触媒がイオン交換体である場合には、これは有利に例えば濾過により除去される。
【００７０】
安定化を更に促進するために、酸素含有ガス、有利に空気、又は、空気と窒素とから成る混合物（希薄空気）が存在していてよい。
【００７１】
この酸素含有ガスを、有利に塔底領域内及び／又は循環蒸発器内に供給し、かつ／又は反応混合物に導通及び／又は通過させる。
【００７２】
重合抑制剤（混合物）Ｄ（上記の通り）は、エステル化混合物に対して、０．０１〜１質量％、有利に０．０２〜０．８質量％、殊に有利に０．０５〜０．５質量％の全量で使用される。
【００７３】
重合抑制剤（混合物）Ｄは、例えば、水溶液として、又は出発物質又は生成物中の溶液として使用されてよい。
【００７４】
ｂ）反応の際に生じる反応水は、エステル化ａ）の間又は後に留去することができ、その際、このプロセスは、水と共沸混合物を形成する溶剤により促進され得る。
【００７５】
反応水の共沸除去のための溶剤Ｅとして、所望の場合には、上記化合物が適当である。
【００７６】
溶剤の存在でエステル化を実施するのが有利である。
【００７７】
溶剤の使用量は、アルコキシル化されたグリセリンと（メタ）アクリル酸との合計に対して、１０〜２００質量％、有利に２０〜１００質量％、殊に有利に３０〜１００質量％である。
【００７８】
しかしながら、例えばＤＥ−Ａ１３８４３８５４号、第２欄、第１８行〜第４欄、第４５行に記載されているように、共沸添加剤なしで、しかしながらこれとは異なって上記の安定剤を用いて実施することも考えられる。
【００７９】
反応混合物中に含有される水を、共沸混合物を形成する溶剤によって除去しない場合には、例えばＤＥ−Ａ３８４３８４３号に記載されているように、この水を、不活性ガス、有利に酸素含有ガス、殊に有利に空気又は希薄空気を用いたストリッピングにより除去することができる。
【００８０】
エステル化ａ）の反応温度は、一般に４０〜１６０℃、有利に６０〜１４０℃、殊に有利に８０〜１２０℃である。温度は、反応の進行中に一定であってもよいし上昇してもよいが、有利に反応の進行中に温度を上昇させる。この場合、エステル化の最終温度は開始温度よりも５〜３０℃高い。エステル化の温度は、ＤＥ−Ａ１９９４１１３６号及びドイツ特許出願番号第１００６３１７５.４号に記載されているように、反応混合物中の溶剤濃度の変動によって、決定及び調節することができる。
【００８１】
溶剤を使用する場合は、反応器に取り付けられた蒸留ユニットを介して反応混合物から溶剤を留去することができる。
【００８２】
留出物は、選択的に、除去することもできるし、凝縮の後に相分離装置に導入することもできる。ドイツ特許出願番号第１００６３１７５.４号に記載されているように、こうして得られた水相を一般に排出し、有機相を蒸留ユニットに還流として導入し、かつ／又は反応帯域に直接導入し、かつ／又は循環蒸発器に導入することができる。
【００８３】
還流として使用する場合は、有機相は、ＤＥ−Ａ１９９４１１３６号に記載されているように、エステル化における温度を調節するために使用することができる。
【００８４】
エステル化ａ）は、常圧、過圧又は減圧で実施することができるが、有利に常圧で処理される。
【００８５】
反応時間は、一般に２〜２０時間、有利に４〜１５時間、殊に有利に７〜１２時間である。
【００８６】
個々の反応成分の添加の順序は、本発明によれば重要でない。全ての成分を混合して装入し、引き続き加熱することもできるし、１種以上の成分を装入しないか又は部分的に装入し、加熱後になって初めて添加することもできる。
【００８７】
使用可能な（メタ）アクリル酸は、その組成が限定されず、例えば以下の成分を有することができる：
（メタ）アクリル酸            ９０〜９９．９質量％
酢酸                          ０．０５〜３質量％
プロピオン酸                  ０．０１〜１質量％
ジアクリル酸                  ０．０１〜５質量％
水                            ０．０５〜５質量％
カルボニル含有物              ０．０１〜０．３質量％
抑制剤                        ０．０１〜０．１質量％
（無水）マレイン酸            ０．００１〜０．５質量％
使用される粗製（メタ）アクリル酸は、一般に、比肩可能な安定化を可能にする量のフェノチアジン又は他の安定剤２００〜６００ｐｐｍで安定化される。カルボニル含有物という表現は、ここでは例えばアセトン、低級アルデヒド、例えばホルムアルデヒド、アセトアルデヒド、クロトンアルデヒド、アクロレイン、２−フルフラール及び３−フルフラール及びベンズアルデヒドであると解釈される。
【００８８】
ここで、粗製（メタ）アクリル酸とは、プロパン／プロペン／アクロレインないしイソブタン／イソブテン／メタクロレイン−酸化の反応ガスを吸収剤に吸収させ、引き続き吸収剤を分離した後に生じるか、もしくは、反応ガスの分別凝縮により取得される（メタ）アクリル酸含有混合物であると解釈される。
【００８９】
当然のことながら、例えば以下の純度を有する純粋な（メタ）アクリル酸を使用することもできる：
（メタ）アクリル酸            ９９．７〜９９．９９質量％
酢酸                          ５０〜１０００質量ｐｐｍ
プロピオン酸                  １０〜５００質量ｐｐｍ
ジアクリル酸                  １０〜５００質量ｐｐｍ
水                            ５０〜１０００質量ｐｐｍ
カルボニル含有物              １〜５００質量ｐｐｍ
抑制剤                        １〜３００質量ｐｐｍ
（無水）マレイン酸            １〜２００質量ｐｐｍ
使用される純粋な（メタ）アクリル酸は、一般に、比肩可能な安定化を可能にする量のヒドロキノンモノメチルエーテル又は他の貯蔵安定剤１００〜３００ｐｐｍで安定化されている。
【００９０】
純粋な、ないし予め精製された（メタ）アクリル酸とは、一般に、純度が少なくとも９９．５質量％であり、アルデヒド成分、他のカルボニル含有成分及び高沸点成分を実質的に含まない（メタ）アクリル酸であると解釈される。
【００９１】
（存在する場合には）取り付けられた塔を介して分離された凝縮物の、エステル化の間に留去された水相は、一般に（メタ）アクリル酸０．１〜１０質量％を含有することができ、この水相は分離され、かつ排出される。有利に、水相に含まれる（メタ）アクリル酸を、抽出剤、有利に場合によりエステル化に使用される溶剤、例えばシクロヘキサンを用いて、温度１０〜４０℃で、水相対抽出剤の比１：５〜３０、有利に１：１０〜２０で抽出し、エステル化に返送することができる。
【００９２】
循環を更に促進するために、不活性ガス、有利に酸素含有ガス、殊に有利に空気又は空気と窒素とから成る混合物（希薄空気）を、例えば反応混合物の容積に対して０．１〜１ｍ３／ｍ３ｈ、有利に０．２〜０．８ｍ３／ｍ３ｈ、殊に有利に０．３〜０．７ｍ３／ｍ３ｈの量で、循環に供給し、反応混合物に導通又は通過させることができる。
【００９３】
エステル化ａ）の進行は、排出される水の量及び／又は反応器中のカルボン酸濃度の減少を監視することにより監視できる。
【００９４】
例えば、理論的に期待される水の量の９０％、有利に少なくとも９５％、殊に有利に少なくとも９８％が溶剤により排出されたらすぐに反応を停止させることができる。
【００９５】
反応の終了は、例えば、本質的に、反応水がもはや共沸添加剤により除去されないことにより確認することができる。（メタ）アクリル酸が反応水と一緒に排出される場合には、その割合は、例えば、水相のアリコートの逆滴定により測定することができる。
【００９６】
（メタ）アクリル酸が、高い化学量論的過剰で、例えば少なくとも４．５：１、有利に少なくとも７．５：１、極めて殊に有利に少なくとも１５：１で使用される場合、反応水の除去を省略することができる。この場合、生じる水の量の本質的な部分が反応混合物中に残存する。反応の間又は後に、施された温度での揮発性により決定される分の水のみが反応混合物から除去されるに過ぎず、更に、生じる反応水の分離のための処置は施されない。例えば、生じる反応水の少なくとも１０質量％、有利に少なくとも２０質量％、殊に有利に少なくとも３０質量％、極めて殊に有利に少なくとも４０質量％、殊に少なくとも５０質量％が反応混合物中に残留する。
【００９７】
ｃ）エステル化の終了後に、反応混合物を慣用の方法で１０〜３０℃の温度に冷却し、場合により水の共沸除去のために使用される溶剤と同じか又は別であってよい溶剤を場合により添加することにより、任意の目的濃度を設定することができる。
【００９８】
もう１つの実施態様において、例えば粘度を低下させるために、反応を適当な希釈剤Ｇを用いて停止させ、例えば１０〜９０質量％、有利に２０〜８０質量％、殊に有利に２０〜６０質量％、極めて殊に有利に３０〜５０質量％、殊に約４０％の濃度に希釈することができる。
【００９９】
この場合、希釈後に本質的に均質な溶液が形成されることが重要である。
【０１００】
これは、有利にヒドロゲルの製造における使用の比較的すぐ直前になって初めて、例えば２４時間前以内、有利に２０時間前以内、殊に有利に１２時間前以内、極めて殊に有利に６時間前以内、殊に３時間前以内に行われる。
【０１０１】
希釈剤Ｇは、水、水と１種以上の水と境界なく可溶である有機溶剤との混合物、又は、水と１種以上の単官能性もしくは多官能性アルコール、例えばメタノール及びグリセリンとの混合物から成る群から選択されている。アルコールは、有利に１、２又は３個のヒドロキシ基を有し、有利に１〜１０個、殊に４個までのＣ原子を有する。１級及び２級アルコールは有利である。
【０１０２】
有利なアルコールは、メタノール、エタノール、イソプロパノール、エチレングリコール、１，２−プロパンジオール又は１，３−プロパンジオールである。
【０１０３】
ｄ）必要な場合には、例えば、活性炭又は金属酸化物、例えば酸化アルミニウム、一酸化ケイ素、酸化マグネシウム、酸化ジルコン、酸化ホウ素又はこれらの混合物を、例えば０．１〜５０質量％、有利に０．５〜２５質量％、殊に有利に１〜１０質量％の量で用いて、例えば１０〜１００℃、有利に２０〜８０℃、殊に有利に３０〜６０℃の温度で処理することによって、反応混合物を脱色することができる。
【０１０４】
これは、反応混合物に粉末状又は顆粒状の脱色剤を添加し、引き続き濾過することによって、又は、反応混合物を任意の適当な成形体の形の脱色剤の堆積物上に移動させることよって行うことができる。
【０１０５】
反応混合物の脱色は、後処理工程の任意の箇所で、例えば、粗製反応混合物の段階で、又は、場合により行われる予備洗浄、中和、洗浄又は溶剤の除去の後に行うことができる。
【０１０６】
反応混合物を、更に、予備洗浄ｅ）及び／又は中和ｆ）及び／又は後洗浄ｇ）することができ、有利に１回だけ中和ｆ）する。場合により、中和ｆ）と予備洗浄ｅ）との順序を入れ替えてもよい。
【０１０７】
洗浄ｅ）及びｇ）及び／又は中和ｆ）の水相から、含有されている（メタ）アクリル酸及び／又は触媒Ｃを、酸性化及び溶剤を用いた抽出によって少なくとも部分的に回収し、再利用することができる。
【０１０８】
予備洗浄又は後洗浄ｅ）又はｇ）のために、反応混合物を、洗浄液、例えば水、又は、５〜３０質量％、有利に５〜２０質量％、殊に有利に５〜１５質量％の、食塩、塩化カリウム、塩化アンモニウム、硫酸ナトリウム又は硫酸アンモニウム溶液、有利に水又は食塩溶液を有する洗浄装置内で処理する。
【０１０９】
反応混合物：洗浄液の量比は、一般に１：０．１〜１、有利に１：０．２〜０．８、殊に有利に１：０．３〜０．７である。
【０１１０】
洗浄又は中和は、例えば撹拌容器又は他の慣用の装置、例えば、塔又はミキサー−セトラー−装置内で実施することができる。
【０１１１】
処理技術的に、本発明による方法における洗浄又は中和のために、例えば、Ullmann's Encyclopedia of Industrial Chemistry、第６版、1999 Electronic Release, 章：Liquid-Liquid Extraction-Apparatusに記載されているような自体公知の全ての抽出法及び洗浄法及び抽出装置及び洗浄装置を使用することができる。例えばこれらは、一段又は多段の、有利に一段の抽出、並びに、並流又は向流方式、有利に向流方式のものであってよい。
【０１１２】
有利に、多孔板トレー塔、又は規則充填塔もしくは不規則充填塔、撹拌容器又はミキサー−セトラー−装置、並びに、脈動塔又は回転式内部構造物を有するものが使用される。
【０１１３】
抑制剤として、金属塩、有利に銅又は銅塩を（同時に）使用する場合には、有利に予備洗浄ｅ）を導入する。
【０１１４】
ｆ）で中和された反応混合物から塩基又は塩の痕跡を除去するために、後洗浄ｇ）が有利である。
【０１１５】
中和ｆ）のために、場合により予備洗浄された、なお少量の触媒及び主要量の過剰の（メタ）アクリル酸を含有し得る反応混合物を、５〜２５質量％、有利に５〜２０質量％、殊に有利に５〜１５質量％の塩基、例えばアルカリ金属又はアルカリ土類金属の酸化物、水酸化物、炭酸塩又は炭酸水素塩の水溶液、有利に苛性ソーダ液、水酸化カリウム溶液、炭酸水素ナトリウム、炭酸ナトリウム、炭酸水素カリウム、水酸化カルシウム、石灰乳、アンモニア、アンモニア水、又は炭酸カリウム、殊に有利に苛性ソーダ液又は苛性ソーダ液−食塩−溶液を用いて中和することができ、これに場合により５〜１５質量％の食塩、塩化カリウム、塩化アンモニウム又は硫酸アンモニウムが添加されてもよい。中和度は、酸基を含有するモノマーに対して、有利に５〜６０モル％、有利に１０〜４０モル％、殊に有利に２０〜３０モル％である。前記の中和は、重合の前及び／又は間に行うことができ、有利に重合の前に行うことができる。
【０１１６】
塩基の添加は、装置内の温度が上昇して６０℃を上回ることがなく、有利に２０〜３５℃であり、ｐＨ−値が４〜１３となるように行う。中和熱の排出を、有利に、内部冷却コイルを使用して、又は二重ジャケット冷却により容器を冷却することによって行う。
【０１１７】
反応混合物：中和液の量比は、一般に１：０．１〜１、有利に１：０．２〜０．８、殊に有利に１：０．３〜０．７である。
【０１１８】
前記の説明は装置に関して適用できる。
【０１１９】
ｈ）反応混合物に溶剤が含有されている場合には、溶剤を蒸留により本質的に除去することができる。有利に、場合により含有されている溶剤を洗浄及び／又は中和の後に反応混合物から除去するが、しかしながら所望の場合には、洗浄ないし中和の前にこれを行うこともできる。
【０１２０】
このために、溶剤の除去後に、その１００〜５００ｐｐｍ、有利に２００〜５００ｐｐｍ、殊に有利に２００〜４００ｐｐｍが目的エステル（残留物）中に含有されているような量の貯蔵安定剤、有利にヒドロキノンモノメチルエーテルを反応混合物と混合する。
【０１２１】
蒸留による主要量の溶剤の除去は、例えば二重ジャケット加熱及び／又は内部加熱コイルを有する撹拌容器内で、減圧下、例えば２０〜７００ミリバール、有利に３０〜５００ミリバール、殊に有利に５０〜１５０ミリバールで、４０〜８０℃の温度で行う。
【０１２２】
当然のことながら、蒸留を、流下薄膜式蒸発器又は薄膜蒸発器内で行うこともできる。このために、反応混合物を、有利に複数回循環させて、減圧下で、例えば２０〜７００ミリバール、有利に３０〜５００ミリバール、殊に有利に５０〜１５０ミリバールで、４０〜８０℃の温度で装置に導通させる。
【０１２３】
有利に、不活性ガス、有利に酸素含有ガス、殊に有利に空気又は空気と窒素とから成る混合物（希薄空気）を、例えば反応混合物の容積に対して０．１〜１ｍ３／ｍ３ｈ、有利に０．２〜０．８ｍ３／ｍ３ｈ、殊に有利に０．３〜０．７ｍ３／ｍ３ｈの量で、蒸留装置に導入することができる。
【０１２４】
蒸留後の残留物中の残留溶剤含量は、一般に５質量％未満、有利に０．５〜５質量％、殊に有利に１〜３質量％である。
【０１２５】
分離した溶剤を凝縮させ、有利に再利用する。
【０１２６】
必要な場合には、蒸留に加えて、又は蒸留の代わりに、溶剤ストリッピングｉ）を実施することができる。
【０１２７】
このために、なお少量の溶剤を含有する目的エステルを、５０〜９０℃、有利に８０〜９０℃に加熱し、残留する溶剤の量を適当な装置内で適当なガスを使用して除去する。促進のために、場合により真空を施すこともできる。
【０１２８】
適当な装置は、例えば、慣用の内部構造物、例えば、トレー、堆積物又は配向充填物、有利に堆積物を有する、自体公知の構造の塔である。塔内部構造物として、原則的に全ての慣用の内部構造物、例えば、トレー、規則充填体及び／又は不規則充填体が該当する。トレーのうち、泡鐘トレー、多孔板トレー、バルブトレー、トールマントレー及び／又はデュアルフロートレーが有利であり、堆積物のうち、リング、コイル、サドル、ラッシヒリング、イントス(Intos)リング又はポールリング、バールサドル又はインタロックスサドル、トップパック(Top-Pak)等又はひも状物を有するものが有利である。
【０１２９】
ここでも、流下薄膜式蒸発器、薄膜蒸発器又はワイプ薄膜蒸発器(Wischfilmverdampfer)、例えば、ルワ(Luwa)蒸発器、ロータフィルム(Rotafilm)蒸発器又はサンベー(Sambay)蒸発器も可能であり、これは、飛沫よけとして例えばデミスターを備えていてよい。
【０１３０】
適当なガスは、ストリッピング条件下で不活性であるガス、有利に酸素含有ガス、殊に有利に空気又は空気と窒素とから成る混合物（希薄空気）、又は、殊に５０〜１００℃に熱処理された水蒸気である。
【０１３１】
ストリッピングガスの量は、反応混合物の容積に対して、例えば５〜２０ｍ３／ｍ３ｈ、殊に有利に１０〜２０ｍ３／ｍ３ｈ、極めて殊に有利に１０〜１５ｍ３／ｍ３ｈである。
【０１３２】
必要な場合には、エステルを、後処理工程の任意の段階で、有利に洗浄／中和及び場合により溶剤除去の後に濾過ｊ）し、沈殿した痕跡量の塩並びに場合により含有されている脱色剤を除去することができる。
【０１３３】
考え得る実施態様において、アルコキシル化されたグリセリンと（メタ）アクリル酸とのエステル化ａ）は、上記の少なくとも１５：１のモル過剰で、少なくとも１種のエステル化触媒Ｃ及び少なくとも１種の重合抑制剤Ｄの存在で、水と共沸混合物を形成する溶剤なしに実施される。
【０１３４】
過剰に使用される（メタ）アクリル酸は、有利な実施態様において本質的に分離されず、即ち、施された温度での揮発性により決定される分の（メタ）アクリル酸のみが反応混合物から除去され、更に、カルボン酸の分離のための措置、例えば蒸留工程、精留工程、抽出工程、例えば洗浄、吸収工程、例えば活性炭の導通又はイオン交換体の導通、及び／又は化学的工程、例えばエポキシドを用いたカルボン酸の捕捉は実施されない。
【０１３５】
有利に、反応混合物中に含有される（メタ）アクリル酸は、反応終了後に反応混合物中に含有されている（メタ）アクリル酸に対して、７５質量％以下、殊に有利に５０質量％以下、極めて殊に有利に２５質量％以下、殊に１０質量％以下、特に５質量％以下が、反応混合物から分離される。殊に有利な実施態様において、工程ｂ）を行わなくてよく、従って、施された温度での揮発性により決定される分の反応水及び（メタ）アクリル酸のみが反応混合物から除去される。これは有利に本質的に完全な凝縮により回避され得る。
【０１３６】
更に、使用されるエステル化触媒Ｃも本質的に反応混合物中に残存する。
【０１３７】
そのようにして得ることができる反応混合物は、有利に、少なくとも２５ｍｇＫＯＨ／反応混合物ｇ、殊に有利に２５〜８０ｍｇＫＯＨ／反応混合物ｇ、極めて殊に有利に２５〜５０ｍｇＫＯＨ／反応混合物ｇのＤＩＮ  ＥＮ３６８２による酸価を有する。
【０１３８】
予備洗浄又は後洗浄ｅ）又はｇ）が有利に行われない場合、濾過工程ｊ）のみで合理的であり得る。
【０１３９】
引き続き、反応混合物を工程ｃ）において希釈することができ、この場合、反応混合物を、有利に６時間以内、殊に有利に３時間以内でヒドロゲルに変換することができる。ヒドロゲルを有利に工程ｆ）において中和することができる。
【０１４０】
この場合、工程ｃ）、ｊ）及びｆ）の順序は任意である。
【０１４１】
本発明は更に、以下
−上記のエステル化法の１つにより得ることができる少なくとも１種のエステルＦ
−（メタ）アクリル酸及び
−希釈剤Ｇ
を含有する物質混合物に関する。
【０１４２】
他の成分として、以下
−プロトン化されたか又はプロトン化されていない形のエステル化触媒Ｃ
−重合抑制剤Ｄ、並びに
−エステル化において使用された場合には、場合により溶剤Ｅ
が含有されていてよい。
【０１４３】
物質混合物は、場合により中和されていてよく、上記のｆ）に記載したようなｐＨ値を有してよい。
【０１４４】
物質混合物が中和されている場合、（メタ）アクリル酸の少なくとも一部は、その水溶性のアルカリ金属塩、アルカリ土類金属塩又はアンモニウム塩に変換されている。
【０１４５】
有利な物質混合物は、以下
−物質混合物中のエステルＦ  ０．１〜４０質量％、殊に有利に０．５〜２０質量％、極めて殊に有利に１〜１０質量％、殊に２〜５質量％、殊に２〜４質量％、
−モノマーＭ  ０．５〜９９．９質量％、殊に有利に０．５〜５０質量％、極めて殊に有利に１〜２５質量％、殊に２〜１５質量％、殊に３〜５質量％、
−エステル化触媒Ｃ  ０〜１０質量％、殊に有利に０．０２〜５質量％、極めて殊に有利に０．０５〜２．５質量％、殊に０．１〜１質量％、
−重合抑制剤Ｄ  ０〜５質量％、殊に有利に０．０１〜１．０質量％、極めて殊に有利に０．０２〜０．７５質量％、殊に０．０５〜０．５質量％、殊に０．０７５〜０．２５質量％、
−溶剤Ｅ  ０〜１０質量％、殊に有利に０〜５質量％、極めて殊に有利に０．０５〜１．５質量％、殊に０．１〜０．５質量％、
但し、合計は常に１００質量％である、並びに
−場合により希釈剤Ｇ  １００質量％まで
を含有する。
【０１４６】
上記の方法により得ることができる反応混合物及び本発明による物質混合物は、
−吸水性ヒドロゲルのラジカル架橋剤として
−ポリマー分散液の製造のための出発物質として
−ポリアクリレート（ヒドロゲルを除く）の製造のための出発物質として
−ラッカー原料として、又は
−セメント添加物として
使用することができる。
【０１４７】
吸水性ヒドロゲルのラジカル架橋剤として使用するために、殊に、少なくとも５質量％、有利に少なくとも１０質量％、殊に有利に少なくとも２０質量％、極めて殊に有利に少なくとも３０質量％、殊に少なくとも５０質量％の、（蒸留水中で２５℃での）水への溶解度を有するような本発明による物質混合物が適当である。
【０１４８】
ｋ）進行する場合にはその後処理工程を含めたエステル化からの反応混合物、例えばｆ）からの、ないしｆ）を行わない場合にはｂ）からの、ないしｂ）を行わない場合にはａ）からの反応混合物を、場合により、酸基を有していないが親水性モノマーＭと共重合可能である付加的なモノエチレン性不飽和化合物Ｎと混合することができ、その後、吸水性ヒドロゲルの製造のために、少なくとも１種のラジカル開始剤Ｋ及び場合により少なくとも１種のグラフト基体Ｌの存在で重合させることができる。
【０１４９】
有利に、
ｌ）ｋ）からの反応混合物を後架橋させることができる。
【０１５０】
この親水性の高膨潤性ヒドロゲルの製造ｋ）のために適当な親水性モノマーＭは、例えば、重合可能な酸、例えばアクリル酸、メタクリル酸、エタクリル酸、α−クロロアクリル酸、クロトン酸、マレイン酸、無水マレイン酸、ビニルスルホン酸、ビニルホスホン酸、その無水物を含むマレイン酸、フマル酸、イタコン酸、シトラコン酸、メサコン酸、グルタコン酸、アコニット酸、アリルスルホン酸、スルホエチルアクリレート、スルホメタクリレート、スルホプロピルアクリレート、スルホプロピルメタクリレート、２−ヒドロキシ−３−アクリルオキシプロピルスルホン酸、２−ヒドロキシ−３−メタクリル−オキシプロピルスルホン酸、アリルホスホン酸、スチレンスルホン酸、２−アクリルアミド−２−メチルプロパンスルホン酸、２−アクリルアミド−２−メチルプロパンホスホン酸、並びにそのアミド、ヒドロキシアルキルエステル及びアミノ基又はアンモニウム基含有エステル及びアミドである。モノマーは単独で又は相互に混合して使用することができる。更に、水溶性Ｎ−ビニルアミド又はジアリルジメチルアンモニウムクロリドである。有利な親水性モノマーは、式Ｖ
【０１５１】
【化５】
2005532431.tif 000006
［式中、
Ｒ３は水素、メチル又はエチルを表し、
Ｒ４は基−ＣＯＯＲ６、スルホニル基又はホスホニル基、（Ｃ１〜Ｃ４）−アルキルアルコールでエステル化されたホルホニル基、又は式ＶＩ
【０１５２】
【化６】
2005532431.tif 000007
の基を表し、
Ｒ５は水素、メチル、エチル又はカルボキシル基を表し、
Ｒ６は水素、アミノ、又はヒドロキシ−（Ｃ１〜Ｃ４）−アルキルを表し、
Ｒ７はスルホニル基、ホスホニル基又はカルボキシル基を表す］
の化合物である。
【０１５３】
（Ｃ１〜Ｃ４）−アルキルアルコールの例は、メタノール、エタノール、ｎ−プロパノール又はｎ−ブタノールである。
【０１５４】
殊に有利な親水性モノマーは、アクリル酸及びメタクリル酸、殊にアクリル酸である。
【０１５５】
特性を最適化するために、酸基を有していないが、酸基を含有するモノマーと共重合可能な付加的なモノエチレン性不飽和化合物Ｎを使用することも合理的であり得る。これには、例えばモノエチレン性不飽和カルボン酸のアミド及びニトリル、例えばアクリルアミド、メタクリルアミド及びＮ−ビニルホルムアミド、Ｎ−ビニルアセトアミド、Ｎ−メチルビニルアセトアミド、アクリロニトリル及びメタクリロニトリルが属する。さらに適当な化合物は、例えば飽和Ｃ１〜Ｃ４−カルボン酸のビニルエステル、例えばギ酸ビニル、酢酸ビニル又はプロピオン酸ビニル、アルキル基中に少なくとも２個のＣ原子を有するアルキルビニルエーテル、例えばエチルビニルエーテル又はブチルビニルエーテル、モノエチレン性不飽和Ｃ３〜Ｃ６−カルボン酸のエステル、例えば１価のＣ１〜Ｃ１８−アルコールとアクリル酸、メタクリル酸又はマレイン酸とからのエステル、マレイン酸の半エステル、例えばマレイン酸モノ−メチルエステル、Ｎ−ビニルラクタム、例えばＮ−ビニルピロリドン又はＮ−ビニルカプロラクタム、アルコキシル化された１価の飽和アルコール、例えばアルコール１モル当たり２〜２００モルのエチレンオキシド及び／又はプロピレンオキシドと反応している１０〜２５個のＣ原子を有するアルコールのアクリル酸エステル及びメタクリル酸エステル、並びにポリエチレングリコール又はポリプロピレングリコールのモノアクリル酸エステル及びモノメタクリル酸エステルであり、その際、ポリアルキレングリコールの分子量（Ｍｎ）は例えば２０００までであることができる。さらに、適当なモノマーはスチレン及びアルキル置換スチレン、例えばエチルスチレン又はｔ−ブチルスチレンである。
【０１５６】
これらの酸基を有していないモノマーは、他のモノマーと混合した形で、例えばビニルアセテートと２−ヒドロキシエチルアクリレートとの任意の割合での混合物の形で使用することができる。これらの酸基を有していないモノマーは、０〜５０質量％、有利に２０質量％未満の量で反応混合物に添加される。
【０１５７】
酸基を有するモノエチレン性不飽和モノマー（このモノマーは場合により重合の前又は後でそのアルカリ金属塩又はアンモニウム塩に変換される）と、全質量に対して０〜４０質量％の酸基を有していないモノエチレン性不飽和モノマーとからの、架橋された（コ）ポリマーは有利である。
【０１５８】
（メタ）アクリル酸含有（コ）ポリマー、ポリアクリル酸及び高吸収体の製造、試験及び使用はすでに何度も記載されており、従って十分に公知である。”Modern Superabsorbent Polymer Technology”, F.L. Buchholz及びA.T. Graham著, Wiley-VCH, 1998、又はUllmann's Handbuch der technischen Chemie 第３５巻 ２００３ Markus Frank ”Superabsorbents”を参照のこと。
【０１５９】
酸基を有するモノエチレン性不飽和モノマーＭ又はその塩の架橋性の重合又は共重合により得られるヒドロゲルは有利である。
【０１６０】
得ることができるポリマーは、改善された鹸化指数（ＶＳＩ）が顕著である。
【０１６１】
後架橋のための方法において、出発ポリマーを後架橋剤で処理し、有利に処理の間又は後に、温度を上昇させることにより後架橋及び乾燥させ、その際、架橋剤は有利に不活性溶剤中に含有されている。不活性溶剤とは、反応の際に、出発ポリマーとも後架橋剤とも本質的に反応しない溶剤であると解釈される。９０％を上回って、有利に９５％を上回って、殊に有利に９９％を上回って、殊に９９．５％を上回って、化学的に出発ポリマー又は後架橋剤と反応しない溶剤は有利である。
【０１６２】
この場合、後架橋ｌ）及び乾燥ｍ）のために、３０〜２５０℃、殊に５０〜２００℃の温度範囲が有利であり、１００〜１８０℃の範囲は極めて殊に有利である。表面後架橋溶液の塗布は、有利に適当な噴霧ミキサー中でポリマーに吹付けることにより行われる。吹付けに引き続き、ポリマー粉末を熱的に乾燥させ、その際、架橋反応は乾燥の前のみならず間にも生じ得る。反応ミキサー又は混合−及び乾燥装置、例えばレーディゲ−ミキサー（Loedige-Mischer）、ベペックス−ミキサー（BEPEX-Mischer）、ナウタ−ミキサー(NAUTA-Mischer)、シュッギ−ミキサー(SHUGGI-Mischer)又はプロセスオール(PROCESSALL)中での架橋剤の溶液の吹付けは有利である。その上、流動床型乾燥器を使用することもできる。
【０１６３】
この乾燥は、ミキサー自体の中で、ジャケットの加熱によるか又は加熱空気の吹込によって行うことができる。同様に、後方接続された乾燥器、例えばシェルフ(Horden)乾燥器、回転管型オーブン、又は加熱可能なスクリュー装置は適当である。しかしながら、例えば共沸蒸留を乾燥法として利用することもできる。前記温度での反応ミキサー又は乾燥器中での有利な滞留時間は、６０分未満、殊に有利に３０分未満である。
【０１６４】
出発ポリマーが、ポリマーアクリル酸又はポリアクリレート、殊に、多官能性エチレン性不飽和ラジカル架橋剤を使用するラジカル重合により得られたポリマーアクリル酸又はポリアクリレートであるような上記方法は有利である。
【０１６５】
出発ポリマーの質量に対して、０．１〜２０質量％、殊に０．５〜１０質量％の割合でラジカル架橋剤、即ちエステルＦ及び希釈剤Ｇを含有する物質混合物を使用する方法は有利である。
【０１６６】
ラジカル架橋剤を、出発ポリマーに対して０．０１〜５．０質量％、有利に０．０２〜３．０質量％、極めて殊に有利に０．０３〜２．５質量％、殊に０．０５〜１．０質量％、殊に０．１〜０．７５質量％の計量供給量で使用する方法は有利である。
【０１６７】
上記の１つの方法により製造されたポリマー、及び、衛生用品、包装材、及び不織布における該ポリマーの使用、並びに、架橋された、又は熱処理により架橋可能なポリマーを製造するための、殊にラッカー及び染料における、上記の１つの物質混合物の使用も、本発明の対象である。
【０１６８】
この場合使用可能な親水性の高膨潤性ヒドロゲル（出発ポリマー）は、殊に（共）重合された親水性モノマーから成るポリマーＭ、１種又は数種の親水性モノマーＭの適当なグラフト基体Ｌへのグラフト（コ）ポリマー、架橋されたセルロース−又はデンプンエーテル、又は水性液体中で膨潤可能な天然生成物、例えばグアール誘導体（Guarderivate）である。上記ヒドロゲルは当業者に公知であり、例えばＵＳ−４２８６０８２、ＤＥ−Ｃ−２７０６１３５、ＵＳ−４３４０７０６、ＤＥ−Ｃ−３７１３６０１、ＤＥ−Ｃ−２８４００１０、ＤＥ−Ａ−４３４４５４８、ＤＥ−Ａ４０２０７８０、ＤＥ−Ａ−４０１５０８５、ＤＥ−Ａ−３９１７８４６、ＤＥ−Ａ−３８０７２８９、ＤＥ−Ａ−３５３３３３７、ＤＥ−Ａ−３５０３４５８、ＤＥ−Ａ−４２４４５４８、ＤＥ−Ａ−４２１９６０７、ＤＥ−Ａ−４０２１８４７、ＤＥ−Ａ−３８３１２６１、ＤＥ−Ａ−３５１１０８６、ＤＥ−Ａ−３１１８１７２、ＤＥ−Ａ−３０２８０４３、ＤＥ−Ａ−４４１８８８１、ＥＰ−Ａ−０８０１４８３、ＥＰ−Ａ−０４５５９８５、ＥＰ−Ａ−０４６７０７３、ＥＰ−Ａ−０３１２９５２、ＥＰ−Ａ−０２０５８７４、ＥＰ−Ａ−０４９９７７４、ＤＥ−Ａ２６１２８４６、ＤＥ−Ａ−４０２０７８０、ＥＰ−Ａ−０２０５６７４、ＵＳ−５１４５９０６、ＥＰ−Ａ−０５３０４３８、ＥＰ−Ａ−０６７００７３、ＵＳ４０５７５２１、ＵＳ−４０６２８１７、ＵＳ−４５２５５２７、ＵＳ−４２９５９８７、ＵＳ−５０１１８９２、ＵＳ−４０７６６６３又はＵＳ−４９３１４９７に記載されている。例えばＷＯ０１／３８４０２に記載されているような製造法からの高膨潤性ヒドロゲル、並びに、ＤＥ１９８５４５７５に記載されているような無機−有機ハイブリッド高膨潤性ヒドロゲルも殊に適当である。上記特許明細書の内容、殊に該方法により製造されたヒドロゲルは、本発明の開示の明らかな構成要素である。
【０１６９】
オレフィン性不飽和酸のグラフト共重合により得ることができる親水性ヒドロゲルのための適当なグラフト基体Ｌは、天然又は合成の源であることができる。この例は、デンプン、セルロース又はセルロース誘導体並びに他の多糖類及びオリゴ糖類、ポリアルキレンオキシド、特にポリエチレンオキシド及びポリプロピレンオキシド、並びに親水性ポリエステルである。
【０１７０】
吸水性ポリマーは、水溶性ポリマーマトリックス上へのアクリル酸又はアクリレートのラジカルグラフト共重合により得ることができる。適当な水溶性ポリマーマトリックスは、例えば、これに限定されるものではないが、アルギネート、ポリビニルアルコール及び多糖類、例えばデンプンである。本発明の範囲内におけるグラフト共重合の場合、多官能性エチレン性不飽和ラジカル架橋剤が使用される。
【０１７１】
吸水性ポリマーは、一方ではポリマーアクリル酸又はポリアクリレートからの、他方ではシリケート、アルミネート、又はアルモシリケートからの有機−無機ハイブリッドポリマーであってよい。殊に、多官能性エチレン性不飽和ラジカル架橋剤を使用し、その製造方法において水中で可溶性のシリケート又は可溶性のアルミネート又は双方の混合物を使用するラジカル重合により得られたポリマーアクリル酸又はポリアクリレートを使用することができる。
【０１７２】
有利なヒドロゲルは、殊にポリアクリレート、ポリメタクリレート、並びに、ＵＳ−４９３１４９７、ＵＳ−５０１１８９２及びＵＳ−５０４１４９６に記載されたグラフトコポリマーである。極めて殊に有利なヒドロゲルは、ＷＯ０１／３８４０２に記載された混練機ポリマー(Kneterpolymere)、及び、ＤＥ１９８５４５７５に記載されたポリアクリレートベースのハイブリッド有機−無機ヒドロゲルである。
【０１７３】
本発明により製造された、ヒドロゲルにおいてラジカル架橋剤として使用可能な物質は、例えば以下のように、単独で、又は他の架橋剤、例えば内部架橋剤又は表面架橋剤と組み合わせて使用することができる：
適当な付加的な架橋剤は、殊にメチレンビスアクリルアミドもしくはメチレンビスメタクリルアミド、ポリオールの不飽和モノカルボン酸又はポリカルボン酸のエステル、例えばジアクリレート又はトリアクリレート、例えばブタンジオール−又はエチレングリコールジアクリレートないし−メタクリレート、並びに、トリメチロールプロパントリアクリレート及びアリル化合物、例えばアリル（メタ）アクリレート、トリアリルシアヌレート、マレイン酸ジアリルエステル、ポリアリルエステル、テトラアリルオキシエタン、トリアリルアミン、テトラアリルエチレンジアミン、リン酸のアリルエステル、並びに例えばＥＰ−Ａ−０３４３４２７に記載されているビニルホスホン酸誘導体である。しかしながら本発明による方法において、ポリアリルエーテルを付加的な架橋剤として使用しながら、アクリル酸の酸性単独重合により製造されるヒドロゲルは殊に有利である。適当な架橋剤は、ペンタエリトリトールトリ−及び−テトラアリルエーテル、ポリエチレングリコールジアリルエーテル、モノエチレングリコール−ジアリルエーテル、グリセリンジ−及びトリアリルエーテル、ソルビトールをベースとするポリアリルエーテル、並びにそのエトキシル化された変形である。更に殊に有利な架橋剤は、ポリエチレングリコール−ジアクリレート、トリメチロールプロパントリアクリレートのエトキシル化誘導体、例えばSartomer SR 9035、並びにグリセリンジアクリレート及びグリセリントリアクリレートのエトキシル化誘導体である。当然のことながら、上記架橋剤の混合物を使用することもできる。
【０１７４】
ラジカル架橋剤として本発明により製造されたエステルＦを用いて製造されるヒドロゲルは極めて殊に有利である。
【０１７５】
吸水性ポリマーは、有利にポリマーアクリル酸又はポリアクリレートである。この吸水性ポリマーの製造は、刊行物の記載から公知である方法により行われてよい。架橋性コモノマーを含有する（０．００１〜１０モル％）ポリマーは有利であるが、しかしながら多官能性エチレン性不飽和ラジカル架橋剤を使用したラジカル重合により得られたポリマーは極めて殊に有利である。
【０１７６】
親水性の高膨潤性ヒドロゲルは自体公知の重合法により製造されてよい。水性溶液中でのいわゆるゲル重合の方法による重合は有利である。この場合、１種以上の親水性モノマー及び場合により適当なグラフト基体Ｌの、上記の希釈された溶液、有利に水溶液、殊に有利に１５〜５０質量％の水溶液を、ラジカル開始剤の存在で、有利に機械的な完全混合なしに、トロムスドルフ・ノリッシ効果(Makromol. Chem. 1, 169 (1947))を利用して重合させる。重合反応は０℃〜１５０℃、有利に１０℃〜１００℃の温度範囲内で、標準圧、及び高められたか又は低められた圧力下で実施されてよい。通常のように、この重合は、保護ガス雰囲気中で、有利に窒素下で実施することもできる。重合を生じさせるために、高エネルギー電磁放射線又は慣用の化学的重合開始剤Ｋ、例えば有機ペルオキシド、例えばベンゾイルペルオキシド、ｔ−ブチルヒドロペルオキシド、メチルエチルケトンペルオキシド、クメンヒドロペルオキシド、アゾ化合物、例えばアゾジイソブチロニトリル、並びに無機ペルオキシ化合物、例えば（ＮＨ４）２Ｓ２Ｏ８、Ｋ２Ｓ２Ｏ８又はＨ２Ｏ２を採用することができる。
【０１７７】
これらを、場合により、還元剤、例えばアスコルビン酸、亜硫酸水素ナトリウムと、硫酸鉄（ＩＩ）、又は還元成分として脂肪族及び芳香族スルフィン酸、例えばベンゼンスルフィン酸及びトルエンスルフィン酸又はこれらの酸の誘導体を含有するレドックス系、例えば、ＤＥ−Ｃ−１３０１５６６に記載されているようなスルフィン酸、アルデヒド及びアミノ化合物からのマンニッヒ付加物と組み合わせて使用することができる。５０〜１３０℃、有利に７０〜１００℃の温度範囲内で、ポリマーゲルを数時間後加熱することにより、ポリマーの品質特性をさらに改善することができる。
【０１７８】
得られたゲルは、使用されたモノマーに対して０〜１００モル％、有利に２５〜１００モル％、殊に有利に５０〜８５モル％が中和され、その際、慣用の中和剤、有利にアルカリ金属水酸化物、アルカリ金属酸化物又は相応するアルカリ金属炭酸塩、しかしながら殊に有利に水酸化ナトリウム、炭酸ナトリウム及び炭酸水素ナトリウムが使用されてよい。
【０１７９】
通常、中和は、中和剤を水溶液として又は有利に固体として混入することにより達成される。このために、ゲルは例えば肉挽き機を用いて機械的に粉砕され、中和剤が噴霧、散布又は注入され、その後慎重に混合される。それに加え、得られたゲル塊状物を更に複数回均質化してよい。その後、中和されたゲル塊状物は、残留湿度が有利に１０質量％未満、殊に５質量％となるまでベルト型乾燥器又はローラー乾燥器を用いて乾燥される。
【０１８０】
しかしながら、重合自体は、刊行物に記載された全ての別の方法により実施されてもよい。殊に、工程ｆ）に上記されたように、アクリル酸の中和は重合の前に実施されてもよい。その後、重合は当業者に公知のベルト型反応器又は混練機中で連続的又はバッチ式で実施されてよい。ベルト型反応器中で重合を実施する際、電磁放射線を用いた、有利にＵＶ−線を用いた開始、又はレドックス開始剤系を用いた開始は殊に有利である。電磁放射線と化学的レドックス開始剤系との双方の開始法を同時に組合せることも極めて殊に有利である。
【０１８１】
ｎ）この後、乾燥させたヒドロゲルを粉砕及び篩別し、その際、粉砕のために通常、ロールミル、ピン型ミル又は振動ミルを使用することができる。篩別されたヒドロゲルの有利な粒径は、４５〜１０００μｍ、有利に４５〜８５０μｍ、殊に有利に２００〜８５０μｍ、極めて殊に有利に３００〜８５０μｍの範囲内である。別の殊に有利な範囲は、１５０〜８５０μｍ、極めて殊に有利に１５０〜７００μｍである。有利に８０質量％の粒子、殊に９０質量％の粒子がこの範囲内に存在する。サイズ分布は、確立されたレーザー法を用いて測定されてよい。
【０１８２】
本発明の対象は、更に、重合導入された形の少なくとも１種の親水性モノマーＭを含有し、かつアルコキシル化されたグリセリンと（メタ）アクリル酸とのエステルＦで架橋された、架橋されたヒドロゲルである。エステルは、本発明により、又は公知技術の公知の方法により、有利に本発明による方法により製造されてよい。
【０１８３】
エステルＦとして、上記のような化合物を使用することができる。
【０１８４】
本発明によるヒドロゲルを形成するポリマーのＣＲＣ値［ｇ／ｇ］は、明細書に記載された方法により測定することができ、かつ有利に１５より大きい、殊に１６、１８、２０、２２、２４又はそれ以上、特に有利に２５、殊に２６、２７、２８、２９、殊に有利に３０、３１、３２、３３、３４、３５、３６、３７又はそれ以上である。
【０１８５】
本発明によるヒドロゲルを形成するポリマーのＡＵＬ−０．７ｐｓｉ値［ｇ／ｇ］は、明細書に記載された方法により測定することができ、有利に８より大きい、殊に９、１０、１１、１２、１３、１４又はそれ以上、特に有利に１５、殊に１６、１７、１８、１９又はそれ以上、殊に有利に２０より大きい、殊に２１、２２、２３、２４、２５、２６、２７、２８又はそれ以上である。
【０１８６】
本発明によるヒドロゲルを形成するポリマーのＡＵＬ−０．５ｐｓｉ値［ｇ／ｇ］は、明細書に記載された方法により測定することができ、有利に８より大きい、殊に９、１０、１１、１２、１３、１４又はそれ以上、特に有利に１５、殊に１６、１７、１８、１９又はそれ以上、殊に有利に２０より大きい、殊に２１、２２、２３、２４、２５、２６、２７、２８又はそれ以上である。
【０１８７】
本発明によるヒドロゲルを形成するポリマーの鹸化指数ＶＳＩは、明細書に記載された方法により測定することができ、有利に１１未満、１０．５又は１０、殊に９．５、９又は８．５又はそれ未満、殊に有利に８未満、殊に７．５、７、６．５、６、５．５又はそれ未満、殊に有利に５未満、殊に４．５、４、３．５又はそれ未満である。
【０１８８】
本発明によるヒドロゲルを形成するポリマーの残留架橋剤含分は、明細書に記載された方法により測定することができ、有利に１０ｐｐｍ未満、殊に９．５ｐｐｍ、９ｐｐｍ又は８．５ｐｐｍ又はそれ未満、殊に有利に８ｐｐｍ未満、殊に７．５ｐｐｍ、７ｐｐｍ、６．５ｐｐｍ、６ｐｐｍ、５．５ｐｐｍ又はそれ未満、殊に有利に５ｐｐｍ未満、殊に４．５ｐｐｍ、４ｐｐｍ、３．５ｐｐｍ又はそれ未満である。
【０１８９】
本発明によるヒドロゲルを形成するポリマーの使用及び用途
本発明は更に、
（Ｐ）上側の液体透過性のカバー、
（Ｑ）下側の液体不透過性層、
（Ｒ）（Ｐ）及び（Ｑ）の間に存在する、以下のものを有するコア、
本発明による、ヒドロゲルを形成するポリマー１０〜１００質量％、親水性繊維材料０〜９０質量％、
有利に、本発明による、ヒドロゲルを形成するポリマー２０〜１００質量％、親水性繊維材料０〜８０質量％、
さらに有利に、本発明による、ヒドロゲルを形成するポリマー３０〜１００質量％、親水性繊維材料０〜７０質量％、
さらに有利に、本発明による、ヒドロゲルを形成するポリマー４０〜１００質量％、親水性繊維材料０〜６０質量％、
さらに有利に、本発明による、ヒドロゲルを形成するポリマー５０〜１００質量％、親水性繊維材料０〜５０質量％、
特に有利に、本発明による、ヒドロゲルを形成するポリマー６０〜１００質量％、親水性繊維材料０〜４０質量％、
殊に有利に、本発明による、ヒドロゲルを形成するポリマー７０〜１００質量％、親水性繊維材料０〜３０質量％、
極めて有利に、本発明による、ヒドロゲルを形成するポリマー８０〜１００質量％、親水性繊維材料０〜２０質量％、
最も有利に、本発明による、ヒドロゲルを形成するポリマー９０〜１００質量％、親水性繊維材料０〜１０質量％、
（Ｓ）場合によりコア（Ｒ）のすぐ上方及び下方に存在する薄織物層、及び
（Ｔ）場合により（Ｐ）と（Ｒ）との間に存在する収容層
を含む衛生用品における、前記のヒドロゲルを形成するポリマーの使用に関する。
【０１９０】
これらのパーセント数値は、１０〜１００質量％の場合に、本発明による、ヒドロゲルを形成するポリマーについて１１、１２、１３、１４、１５、１６、１７、１８、１９からそのそれぞれ１００質量％までであり、かつその間の％数値（例えば１２．２％）も可能であり、かつ相応して親水性繊維材料は０からそれぞれ８９、８８、８７、８６、８５、８３、８２、８１質量％までであり、かつその間のパーセント数値（例えば８７．８％）も可能であると解釈される。コア中に他の材料が存在する場合、ポリマー及び繊維のパーセント値が相応して減少する。同様のことが有利な範囲について該当し、例えば極めて有利には、本発明による、ヒドロゲルを形成するポリマーは８１、８２、８３、８４、８５、８６、８７、８８、８９質量％であり、繊維材料は相応して１９、１８、１７、１６、１５、１４、１３、１２、１１質量％であってよい。本発明による、ヒドロゲルを形成するポリマーの有利な範囲は２０、２１、２２、２３、２４、２５、２６、２７、２８、２９から１００質量％、本発明による、ヒドロゲルを形成するポリマーのさらに有利な範囲は３０、３１、３２、３３、３４、３５、３６、３７、３８、３９から１００質量％、本発明による、ヒドロゲルを形成するポリマーのさらに有利な範囲は４０、４１、４２、４３、４４、４５、４６、４７、４８、４９から１００質量％、本発明による、ヒドロゲルを形成するポリマーのさらに有利な範囲は５０、５１、５２、５３、５４、５５、５６、５７、５８、５９から１００質量％、本発明による、ヒドロゲルを形成するポリマーの特に有利な範囲は６０、６１、６２、６３、６４、６５、６６、６７、６８、６９から１００質量％、本発明による、ヒドロゲルを形成するポリマーの殊に有利な範囲は７０、７１、７２、７３、７４、７５、７６、７７、７８、７９から１００質量％及び本発明による、ヒドロゲルを形成するポリマーの最も有利な範囲は９０、９１、９２、９３、９４、９５、９６、９７、９８、９９又は１００質量％であってよい。
【０１９１】
衛生用品とは、この場合に、大人用の失禁パッド及び失禁パンツ並びに幼児用おむつであると解釈される。
【０１９２】
液体透過性のカバー（Ｐ）は皮膚と直接接触する層である。このための材料は、この場合、通常の合成繊維又は半合成繊維又はポリエステル、ポリオレフィン、レーヨンのフィルム又は天然繊維、例えば綿からなる。不織布材料の場合、この繊維は一般に結合剤、例えばポリアクリレートにより結合されている。有利な材料はポリエステル、レーヨン及びこれらのブレンド、ポリエチレン及びポリプロピレンである。液体透過性の層の例は、ＷＯ９９／５７３５５Ａ１、ＥＰ１０２３８８３Ａ２に記載されている。
【０１９３】
液体不透過性の層（Ｑ）は、一般にポリエチレン又はポリプロピレンからのシートからなる。
【０１９４】
コア（Ｒ）は本発明によるヒドロゲルを形成するポリマーの他に親水性繊維材料を含有する。親水性とは、水性液体がこの繊維を介して迅速に分配されることであると解釈される。通常この繊維材料はセルロース、変性セルロース、レーヨン、ポリエステル、例えばポリエチレンテレフタレートである。特にセルロース繊維はパルプであるのが有利である。この繊維は一般に１〜２００μｍ、有利に１０〜１００μｍの直径を有する。さらに、この繊維は最短長さ１ｍｍを有する。
【０１９５】
おむつの構造及び形状は一般に公知であり、例えばＷＯ９５／２６２０９第６６頁、３４行〜第６９頁１１行、ＤＥ１９６０４６０１Ａ１、ＥＰ−Ａ−０３１６５１８及びＥＰ−Ａ−０２０２１２７に記載されている。一般に、おむつ及び他の衛生用品は、ＷＯ００／６５０８４の特に第６〜１５頁、ＷＯ００／６５３４８の特に第４〜１７頁、ＷＯ００／３５５０２の特に第３〜９頁、ＤＥ１９７３７４３４、ＷＯ９８／８４３９にも記載されている。女性衛生用の衛生用品は、次の文献に記載されている。本発明による水性液体を吸収するヒドロゲルを形成するポリマーはこれらに使用することができる。文献箇所  女性衛生用品：ＷＯ９５／２４１７３：臭い制御用の吸収用品、ＷＯ９１／１１９７７：体液臭い制御、ＥＰ３８９０２３：吸収衛生用品、ＷＯ９４／２５０７７：臭い制御材料、ＷＯ９７／０１３１７：吸収衛生用品、ＷＯ９９／１８９０５、ＥＰ８３４２９７、ＵＳ５，７６２，６４４、ＵＳ５，８９５，３８１、ＷＯ９８／５７６０９、ＷＯ２０００／０６５０８３、ＷＯ２０００／０６９４８５、ＷＯ２０００／０６９４８４、ＷＯ２０００／０６９４８１、ＵＳ６，１２３，６９３、ＥＰ１１０４６６６、ＷＯ２００１／０２４７５５、ＷＯ２００１／０００１１５、ＥＰ１０５３７３、ＷＯ２００１／０４１６９２、ＥＰ１０７４２３３。タンポンは次の文献に記載されている：ＷＯ９８／４８７５３、ＷＯ９８／４１１７９、ＷＯ９７／０９０２２、ＷＯ９８／４６１８２、ＷＯ９８／４６１８１、ＷＯ２００１／０４３６７９、ＷＯ２００１／０４３６８０、ＷＯ２０００／０６１０５２、ＥＰ１１０８４０８、ＷＯ２００１／０３３９６２、ＤＥ２０００２０６６２、ＷＯ２００１／００１９１０、ＷＯ２００１／００１９０８、ＷＯ２００１／００１９０９、ＷＯ２００１／００１９０６、ＷＯ２００１／００１９０５、ＷＯ２００１／２４７２９。失禁用品は次の文献に記載されている：失禁用の使い捨て吸収用品：ＥＰ３１１３４４明細書第３〜９頁；使い捨て用吸収用品：ＥＰ８５０６２３；吸収用品：ＷＯ９５／２６２０７；吸収用品：ＥＰ８９４５０２；ドライレイド繊維構造体：ＥＰ８５０６１６；ＷＯ９８／２２０６３；ＷＯ９７／４９３６５；ＥＰ９０３１３４；ＥＰ８８７０６０；ＥＰ８８７０５９；ＥＰ８８７０５８；ＥＰ８８７０５７；ＥＰ８８７０５６；ＥＰ９３１５３０；ＷＯ９９／２５２８４；ＷＯ９８／４８７５３。女性衛生用品及び失禁用品は次の文献に記載されている：月経用品、ＷＯ９３／２２９９８明細書第２６〜３３頁；体液用の吸収用品：ＷＯ９５／２６２０９明細書第３６〜６９頁；使い捨て用吸収用品：ＷＯ９８／２０９１６明細書第１３〜２４頁；改良した複合吸収構造体：ＥＰ３０６２６２明細書第３〜１４頁；排泄物吸収用品：ＷＯ９９／４５９７３。これらの文献は、本発明の開示に明確に取り入れられる。
【０１９６】
本発明によるヒドロゲルを形成するポリマーは、水及び水性液体用の吸収材料として特に適しているため、有利に、農業園芸における水を保持する材料として、濾過助剤として及び特に衛生用品、例えばおむつ、タンポン又は生理用ナプキンの吸収性成分として使用できる。
【０１９７】
本発明による高膨潤性ヒドロゲルの導入及び固定
前記した高膨潤性ヒドロゲルに対して付加的に、本発明による吸収組成物中に、高膨潤性ヒドロゲルを包含している又はこのヒドロゲルを固定している構成物が存在する。高膨潤性ヒドロゲルを収容することができかつさらに吸収層中に組み込むことができる各構成物が適している。この種の多数の組成物は既に公知であり、かつ文献中に詳細に記載されている。高膨潤性ヒドロゲルを組み込むための構成物は、例えばセルロース繊維混合物（エアレイドウェブ、ウェットレイドウェブ）からなるか又は合成のポリマー繊維（メルトブローンウェブ、スパンボンドウェブ）からなるか又はセルロース繊維と合成繊維とからなる混紡繊維製品からなる繊維マトリックスであることができる。可能な繊維材料は次の章で詳細に記載する。エアレイドウェブのプロセスは例えばＷＯ９８／２８４７８に記載されている。さらに、連続気泡フォーム又は類似の形態も高膨潤性ヒドロゲルの組み込みのために用いることができる。
【０１９８】
また、この種の構成物は２枚の別個の層を融合することにより得ることができ、その際に高膨潤性ヒドロゲルを含有する１つ又は有利に多数の室が形成される。この種の室のシステムはＥＰ０６１５７３６Ａ１第７頁２６行以降に記載されている。
【０１９９】
この場合に、この２つの層の少なくとも一方が水透過性であるべきである。この第２の層は水透過性であるか又は水不透過性であることができる。層材料として、薄織物又はその他の織物、独立気泡又は連続気泡フォーム、穴が開けられたフィルム、エラストマー又は繊維材料からなる織物を使用することができる。吸収性組成物が層の構成物からなる場合には、この層材料は多孔構造を有し、この孔の寸法は高膨潤性ヒドロゲル粒子を保持するために十分に小さくなければならない。吸収性組成物の構成物のための前記の例は、少なくとも２つの層からなる積層体を有し、この２つの層の間に高膨潤性ヒドロゲルが組み込まれてかつ固定されている。
【０２００】
一般に、この方法は、ヒドロゲル粒子をいわゆるドライ−集結度及びウェット−集結度の改善のために吸収体コアの内部に固定することである。ドライ−集結度及びウェット−集結度とは、高膨潤性ヒドロゲルが吸収性組成物中に、外部の力の作用に湿潤状態でも乾燥状態でも耐えられ、かつ高膨潤性ポリマーのずれ又は漏出が生じないように組み込まれている特性であると解釈される。力の作用とは、特に例えば衛生用品を身につけた場合に運動の経過において生じる機械的負荷又は特に衛生用品が失禁の場合にさらされる体重負荷であると解釈される。固定するために、当業者に公知の多くの方法がある。例えば熱処理、接着剤、熱可塑性プラスチック、結合材料の添加による固定は、ＷＯ９５／２６２０９第３７頁３６行〜第４１頁１４行に記載されている。前記の箇所は従って本発明の構成要素である。湿式強度を高める方法は、ＷＯ２０００／３６２１６Ａ１にも記載されている。
【０２０１】
さらに、吸収性組成物は支持材料、例えばポリマーフィルムから成り、このポリマーフィルム上に高膨潤性ヒドロゲル粒子が固定されていることができる。この固定は片面又は両面で行われていてもよい。この支持材料は水透過性であるか又は水不透過性であることができる。
【０２０２】
吸収性組成物の上記の成分において、高膨潤性ヒドロゲルは、この構成物及び高膨潤性ヒドロゲルの全質量に対して、１０〜１００質量％、有利に２０〜１００質量％、さらに有利に３０〜１００質量％、さらに有利に４０〜１００質量％、さらに有利に５０〜１００質量％、特に有利に６０〜１００質量％、殊に有利に７０〜１００質量％、極端に有利に８０〜１００質量％及び最も有利に９０〜１００質量％の質量割合で組み込まれている。
【０２０３】
吸収性組成物の繊維材料
本発明による吸収性組成物の構造は、繊維網目構造又はマトリックスとして使用される多様な繊維材料に基づいている。本発明の範囲内では、天然起源の繊維（変性又は非変性）も、合成繊維も含まれる。
【０２０４】
本発明において使用可能な繊維の例についての詳細な概要は、特許明細書ＷＯ９５／２６２０９の第２８頁９行〜第３６頁８行に記載されている。前記の箇所は従って本発明の構成要素である。
【０２０５】
セルロース繊維の例は、通常の吸収用品で使用されるもの、例えばフリースパルプ及び綿タイプのパルプが含まれる。この材料（針葉樹又は広葉樹）、製造方法、例えばケミカルパルプ、セミケミカルパルプ、ケミサーマルメカニカルパルプ（ＣＴＭＰ）及び漂白方法は特に制限はない。例えば天然のセルロース繊維、例えば綿、亜麻、絹、羊毛、ジュート、エチルセルロース及びセルロースアセテートが使用される。
【０２０６】
適当な合成繊維はポリビニルクロリド、ポリビニルフルオリド、ポリテトラフルオロエチレン、ポリビニリデンクロリド、ポリアクリル化合物、例えばＯＲＬＯＮ（登録商標）、ポリビニルアセテート、ポリエチルビニルアセテート、可溶性又は不溶性のポリビニルアルコールから製造される。合成繊維の例には、熱可塑性ポリオレフィン繊維、例えばポリエチレン繊維（ＰＵＬＰＥＸ（登録商標））、ポリプロピレン繊維及びポリエチレン−ポリプロピレン−二成分繊維、ポリエステル繊維、例えばポリエチレンテレフタレート繊維（ＤＡＣＲＯＮ（登録商標）又はＫＯＤＥＬ（登録商標））、コポリエステル、ポリビニルアセテート、ポリエチルビニルアセテート、ポリビニルクロリド、ポリビニリデンクロリド、ポリアクリル、ポリアミド、コポリアミド、ポリスチレン及び前記のポリマーのコポリマー、並びにポリエチレンテレフタレート−ポリエチレン−イソフタレート−コポリマー、ポリエチルビニルアセテート／ポリプロピレン、ポリエチレン／ポリエステル、ポリプロピレン／ポリエステル、コポリエステル／ポリエステルからの二成分繊維、ポリアミド繊維（ナイロン）、ポリウレタン繊維、ポリスチレン繊維及びポリアクリロニトリル繊維が含まれる。ポリオレフィン繊維、ポリエステル繊維及びこれらの二成分繊維が有利である。さらに、液体吸収後での優れた形状安定性のために、シェル−コア−タイプ及びサイド−バイ−サイド−タイプのポリオレフィンからなる熱接着性二成分繊維が有利である。
【０２０７】
前記の合成繊維は、熱可塑性繊維との組み合わせで使用するのが有利である。熱処理時に、この後者は部分的に存在する繊維材料のマトリックス内へ移行し、冷却時に結合箇所及び新たな補強構成要素が生じる。付加的に、熱可塑性繊維の添加は、熱処理が行われた後で存在する孔の寸法の拡大を意味する。このように、熱可塑性繊維の連続的な供給により、吸収層の形成の間に、熱可塑性繊維の割合をカバー方向に向かって連続的に向上させ、それにより同様に孔のサイズを増大させることが可能である。熱可塑性繊維は多数の熱可塑性ポリマーから形成することができ、これは１９０℃より低い、有利に７５℃〜１７５℃の融点を有する。この温度の場合に、セルロース繊維の損傷は行われない。
【０２０８】
前記の合成繊維の長さ及び直径は特に制限はないが、一般に、長さ１〜２００ｍｍ及び直径０．１〜１００デニール（９０００メーター当たりのグラム）を示すそれぞれ任意の繊維を有利に使用できる。有利な熱可塑性繊維は、長さ３〜５０ｍｍ、特に有利に長さ６〜１２ｍｍを有する。熱可塑性繊維の有利な直径は、１．４〜１０デシテックス、特に有利に１．７〜３．３デシテックス（１００００メーター当たりのグラム）である。この形状は特に制限はなく、例えば織物状、細い円柱状、カット−／スプリットヤーン状、ステープル繊維状及びエンドレス繊維状が含まれる。
【０２０９】
本発明による吸収性組成物中の繊維は、親水性、疎水性又はこれらの２つの組み合わせであってよい。Robert F. Gould著の刊行物”Kontaktwinkel, Benetzbarkeit und Adhaesion”, American Chemical Society (1964)の定義によると、液体と繊維（もしくは繊維表面）との接触角が９０゜より小さいか、又は液体が自発的に繊維の表面上に広がる傾向がある場合に、繊維は親水性とされる。２つの現象は通常は共存している。反対に、９０゜より大きな接触角が形成されかつ広がりが観察されない場合に、繊維は疎水性とされる。
【０２１０】
有利に親水性の繊維材料が使用される。特に、身体側は親水性が弱く、かつ高膨潤性ヒドロゲルの周辺領域に最も親水性が高い繊維材料を使用するのが有利である。製造プロセスにおいて、多様な親水性の層を使用することで勾配を作成し、この勾配は接する液体をヒドロゲル方向へ運び、そこで最終的に吸収が行われる。
【０２１１】
本発明による吸収性組成物中で使用するために適当な親水性の繊維は、例えばセルロース繊維、変性されたセルロース繊維、レーヨン、ポリエステル繊維、例えばポリエチレンテレフタレート（ＤＡＣＲＯＮ（登録商標））及び親水性ナイロン（ＨＹＤＲＯＦＩＬ（登録商標））である。適当な親水性の繊維は、疎水性の繊維の親水化によって、例えばポリオレフィン（例えばポリエチレン又はポリプロピレン、ポリアミド、ポリスチレン、ポリウレタン等）から得られた熱可塑性繊維を界面活性剤又はシリカで処理することにより得ることもできる。しかしながら、コストの理由から及び入手性の理由からセルロース繊維が有利である。
【０２１２】
この高膨潤性ヒドロゲル粒子は、前記の繊維材料中に埋め込まれる。これには多くの方法があり、例えばヒドロゲル材料及び繊維と一緒に吸収層をマトリックスの形で構築するか、又は高膨潤性ヒドロゲルを繊維混合物からなる層内へ導入し、そこで接着剤又は層のラミネートによって最終的に固定することにより行われる。
【０２１３】
液体を吸収する及び分配する繊維マトリックスは、この場合に、合成繊維又はセルロース繊維又は合成繊維とセルロース繊維の混合物からなることができ、この場合、混合比は合成繊維（１００〜０）：セルロース繊維（０〜１００）の間で可変である。この使用したセルロース繊維は、衛生用品の形状安定性の向上のために付加的に化学的に補強することができる。
【０２１４】
セルロース繊維の化学的補強は多様な方法によって達成することができる。一方で、適当な被覆／コーティングを繊維材料に添加することにより、繊維補強を達成することができる。この種の添加物には、例えばポリアミド−エピクロロヒドリン−被覆（Kymene（登録商標）  557 H, Hercoles, Inc. Wilmington Delaware, USA）、ポリアクリルアミド−被覆（米国特許第３，５５６，９３２号明細書に記載されてるか又はMarke Parez（登録商標）631 NC, American Cyanamid Co., Stamford, CT, USAの市販製品として）、メラミン−ホルムアルデヒド−被覆及びポリエチレンイミン−被覆が含まれる。
【０２１５】
セルロース繊維の化学的補強は、化学反応によって行うこともできる。例えば、適当な架橋物質の添加が繊維内で行われる架橋を引き起こすことができる。適当な架橋物質はモノマーの架橋のために使用される典型的な物質である。しかしながらこれに限定されず、酸性官能基を有するＣ２〜Ｃ８−ジアルデヒド、Ｃ２〜Ｃ８−モノアルデヒド、特にＣ２〜Ｃ９−ポリカルボン酸も含まれる。この系列からの特別な物質は、例えばグルタルアルデヒド、グリオキサール、グリオキシル酸、ホルムアルデヒド及びクエン酸である。これらの物質は、個々のセルロース鎖内で又は個々のセルロース繊維内の隣接する２つのセルロース鎖間で少なくとも２つのヒドロキシル基と反応する。この架橋により、繊維の補強が行われ、この繊維はこの処理によりより大きな形状安定性を付与される。その親水性の特性の他に、この繊維は補強と弾性との一体的な組み合わせを有する。この物理的特性により、この毛管構造は液体との接触と圧縮力とが同時に起こる場合であっても維持され、予め崩壊することを妨げることができる。
【０２１６】
化学的に架橋されたセルロース繊維は公知であり、ＷＯ９１／１１１６２、米国特許第３，２２４，９２６号明細書、米国特許第３，４４０，１３５号明細書、米国特許第３，９３２，２０９号明細書、米国特許第４，０３５，１４７号明細書、米国特許第４，８２２，４５３号明細書、米国特許第４，８８８，０９３号明細書、米国特許第４，８９８，６４２号明細書及び米国特許第５，１３７，５３７号明細書に記載されている。この化学的架橋は、繊維材料の補強を行い、これは最終的に全体の衛生用品の形状安定性の改善に反映される。この個々の層は、当業者に公知の方法、例えば熱処理による溶融、溶融接着剤、ラテックス結合剤等の添加により相互に結合させられる。
【０２１７】
吸収性組成物の製造方法
この吸収性組成物は、高膨潤性ヒドロゲルを包含する構成物と、前記の構成物内に存在するか又はそれに固定されている高膨潤性ヒドロゲルとから構成される。
【０２１８】
例えば支持材料から成り、かつ前記支持材料の片側又は両側に高膨潤性ヒドロゲルが固定されている吸収性組成物を得るための方法の例は公知であり、本発明に含まれるが、これに限定されない。
【０２１９】
例えば合成繊維（ａ）とセルロース繊維（ｂ）とからなる繊維材料混合物中に埋め込まれた高膨潤性ヒドロゲル（ｃ）からなり、その際、この混合比は合成繊維（１００〜０）：セルロース繊維（０〜１００）で変化してよい吸収性組成物を得る方法の例は、（１）（ａ）、（ｂ）及び（ｃ）を同時に混合する方法、（２）（ａ）と（ｂ）とからなる混合物を（ｃ）と混合する方法、（３）（ｂ）と（ｃ）とからなる混合物を（ａ）と混合する方法、（４）（ａ）と（ｃ）とからなる混合物を（ｂ）と混合する方法、（５）（ｂ）と（ｃ）を混合し、連続的に（ａ）に供給する方法、（６）（ａ）と（ｃ）とを混合し、連続的に（ｂ）に供給する方法、（７）（ｂ）と（ｃ）とを別々に（ａ）と混合する方法を包含する。これらの例の中で方法（１）と（５）とが有利である。この方法に使用される装置は特に制限はなく、通常の、当業者に公知の装置を使用できる。
【０２２０】
相応して得られた吸収性組成物は、場合により熱処理にかけられ、その結果、湿潤条件下で優れた形状安定性を有する吸収層が得られる。熱処理のためのこの方法は特に制限はない。例えば熱風又は赤外線の供給による熱処理も含まれる。熱処理の際の温度は６０℃〜２３０℃、有利に１００℃〜２００℃、特に有利に１００℃〜１８０℃にある。
【０２２１】
この熱処理の時間は、合成繊維の種類、その量及び衛生用品の製造速度に依存する。一般に、この熱処理の時間は０．５秒〜３分、有利に１秒〜１分である。
【０２２２】
この吸収性組成物は、一般に例えば液体に対して透過性のカバー層と液体に対して不透過性の下層とを備えている。さらに、脚部折り返し及び接着テープを設置し、衛生用品が仕上げられる。透過性のカバー層及び不透過性の下層、並びに脚部の折り返し及び接着テープの材料及び種類は当業者に公知であり、特に制限はない。これについての例はＷＯ９５／２６２０９に記載されている。
【０２２３】
本発明の利点は、架橋剤として使用可能なエステルＦを、その製造の後に精製しなくてもよいこと、殊に、（メタ）アクリル酸、有利にアクリル酸はヒドロゲルの製造のためのモノマーであるためにこれらを分離しなくてもよいことに基づいている。
【実施例】
【０２２４】
実験の部
本明細書で使用するｐｐｍ及び百分率の記載は、別に記載がない限り質量百分率及び質量ｐｐｍに関する。
【０２２５】
本発明による方法を以下の実施例により詳説する。
【０２２６】
実施例
高吸収体架橋剤としてのアクリレート−粗製エステルの製造
高吸収体架橋剤の製造を、実施例において、アルコキシル化されたグリセリンとアクリル酸とのエステル化により行い、その際、水の分離を共沸蒸留により行う。エステル化触媒は、実施例において硫酸である。実施例において、反応物を、ヒドロキノンモノメチルエーテル、トリフェニルホスフィット及び次亜リン酸から成る安定剤混合物と一緒に、共沸添加剤としてのメチルシクロヘキサン中に装入する。その後、共沸蒸留が開始されるまで反応混合物を約９８℃に加熱する。共沸蒸留の間、反応混合物中の温度は上昇する。分離された水量を測定する。少なくとも理論的な水量が分離された時に蒸留を中断する。引き続き、共沸添加剤を真空蒸留で除去する。生成物を冷却し、架橋剤として高吸収体製造で使用する。
【０２２７】
エステル化において分離された水がアクリル酸をも含有し、共沸添加剤の真空蒸留の間にアクリル酸も除去されるため、反応の変換率及び収率を厳密には測定しない。粗製エステルもなお遊離アクリル酸を含有し、これを触媒と一緒に滴定する（酸価）。
【０２２８】
全ての量の記載は、別に記載がない限り質量部である。
【０２２９】
エステルの製造
酸価をＤＩＮ  ＥＮ３６８２により測定した。
【０２３０】
実施例１  アルコキシル化されたグリセリンの製造
ａ）グリセリン−３ＥＯ
グリセリン７７ｇを、水中で４５％のＫＯＨ０．５ｇと共にオートクレーブ中に装入し、一緒に８０℃で減圧（約２０ミリバール）で脱水する。その後、１４５〜１５５℃でエチレンオキシド１１０ｇを添加し、この温度で高めた圧力下で完全に反応させる。圧力変化がもはや観察されなくなった時には反応が終了している。その後、なお３０分間、約１５０℃で後撹拌する。不活性ガスで洗浄し、６０℃に冷却した後、ピロリン酸ナトリウムを添加し、引き続き濾過することにより触媒を分離する。
【０２３１】
ｂ）グリセリン−５ＥＯ
グリセリン７７ｇを、水中で４５％のＫＯＨ０．５ｇと共にオートクレーブ中に装入し、一緒に８０℃で減圧（約２０ミリバール）で脱水する。その後、１４５〜１５５℃でエチレンオキシド１８４ｇを添加し、この温度で高めた圧力下で完全に反応させる。圧力変化がもはや観察されなくなった時には反応が終了している。その後、なお３０分間、約１５０℃で後撹拌する。不活性ガスで洗浄し、６０℃に冷却した後、ピロリン酸ナトリウムを添加し、引き続き濾過することにより触媒を分離する。
【０２３２】
ｃ）グリセリン−３ＰＯ−２ＥＯ（ブロックポリマー）
グリセリン７７ｇを、水中で４５％のＫＯＨ０．５ｇと共にオートクレーブ中に装入し、一緒に８０℃で減圧（約２０ミリバール）で脱水する。その後、１２０〜１３０℃でプロピレンオキシド１４６ｇを添加し、この温度で高めた圧力下で完全に反応させる。圧力変化がもはや観察されなくなった時には反応が終了している。その後、なお３０分間、１２０℃で後撹拌する。引き続き、エチレンオキシド７４ｇを１４５〜１５５℃でより長い時間にわたって高められた圧力で供給し、同様に完全に反応させる。不活性ガスで洗浄し、６０℃に冷却した後、ピロリン酸ナトリウムを添加し、引き続き濾過することにより触媒を分離する。
【０２３３】
ｄ）グリセリン−２ＥＯ−３ＰＯ（ブロックポリマー）
グリセリン７７ｇを、水中で４５％のＫＯＨ０．５ｇと共にオートクレーブ中に装入し、一緒に８０℃で減圧（約２０ミリバール）で脱水する。その後、１４５〜１５５℃でエチレンオキシド７４ｇを添加し、この温度で高めた圧力下で完全に反応させる。圧力変化がもはや観察されなくなった時には反応が終了している。その後、なお３０分間、約１５０℃で後撹拌する。引き続き、プロピレンオキシド１４６ｇを１２０〜１３０℃でより長い時間にわたって高められた圧力で供給し、同様に完全に反応させる。不活性ガスで洗浄し、６０℃に冷却した後、ピロリン酸ナトリウムを添加し、引き続き濾過することにより触媒を分離する。
【０２３４】
ｅ）グリセリン−２ＥＯ−３ＰＯ（混合ポリマー）
グリセリン７７ｇを、水中で４５％のＫＯＨ０．５ｇと共にオートクレーブ中に装入し、一緒に８０℃で減圧（約２０ミリバール）で脱水する。その後、１２０〜１３０℃でエチレンオキシド７４ｇ及びプロピレンオキシド１４６ｇを添加し、温度をゆっくりと約１５０℃に上昇させる。高めた圧力下で完全に反応させる。圧力変化がもはや観察されなくなった時には反応が終了している。その後、なお３０分間、約１５０℃で後撹拌する。不活性ガスで洗浄し、６０℃に冷却した後、ピロリン酸ナトリウムを添加し、引き続き濾過することにより触媒を分離する。
【０２３５】
比較例ａ）
ＴＭＰ−３ＥＯ
トリメチロールプロパン７７ｇを、水中で４５％のＫＯＨ０．５ｇと共にオートクレーブ中に装入し、一緒に８０℃で減圧（約２０ミリバール）で脱水する。その後、１４５〜１５５℃でエチレンオキシド７６ｇを添加し、この温度で高めた圧力下で完全に反応させる。圧力変化がもはや観察されなくなった時には反応が終了している。その後、なお３０分間、約１５０℃で後撹拌する。不活性ガスで洗浄し、６０℃に冷却した後、ピロリン酸ナトリウムを添加し、引き続き濾過することにより触媒を分離する。
【０２３６】
比較例ｂ）
ＴＭＰ−１５ＥＯ
トリメチロールプロパン７７ｇを、水中で４５％のＫＯＨ０．５ｇと共にオートクレーブ中に装入し、一緒に８０℃で減圧（約２０ミリバール）で脱水する。その後、１４５〜１５５℃でエチレンオキシド３７９ｇを添加し、この温度で高めた圧力下で完全に反応させる。圧力変化がもはや観察されなくなった時には反応が終了している。その後、なお３０分間、約１５０℃で後撹拌する。不活性ガスで洗浄し、６０℃に冷却した後、ピロリン酸ナトリウムを添加し、引き続き濾過することにより触媒を分離する。
【０２３７】
実施例２  アクリル酸エステルの製造
ａ）
約３回エトキシル化されたグリセリン（実施例１ａによる）１８３部を、アクリル酸２１６部及び硫酸５部を用いて、メチルシクロヘキサン３４５部中でエステル化する。助剤として、ヒドロキノンモノメチルエーテル３部、トリフェニルホスフィット１部及び次亜リン酸１部を添加する。水４４部を分離し、その後共沸添加剤を真空蒸留により除去する。生成物をＫ３００−フィルターを介して精製する。酸価を測定する。アクリル酸９６部の添加により、粘度を調節する。ほぼ無色の生成物（ヨウ素色価０〜１）の粘度は約３３０ｍＰａｓである。
【０２３８】
ｂ）
約５回エトキシル化されたグリセリン（実施例１ｂによる）２５５部を、アクリル酸２１６部及び硫酸５部を用いて、メチルシクロヘキサン３４５部中でエステル化する。助剤として、ヒドロキノンモノメチルエーテル３部、トリフェニルホスフィット１部及び次亜リン酸１部を添加する。水４４部を分離し、その後共沸添加剤を真空蒸留により除去する。生成物をＫ３００−フィルターを介して精製する。酸価を測定する。アクリル酸９６部の添加により、粘度を調節する。ほぼ無色の生成物（ヨウ素色価０〜１）の粘度は約３２０ｍＰａｓである。
【０２３９】
ｃ−ｅ）
約２回エトキシル化され３回プロポキシル化されたグリセリン（実施例１ｃ−ｅによる）２９０部を、アクリル酸２１６部及び硫酸５部を用いて、メチルシクロヘキサン３４５部中でエステル化する。助剤として、ヒドロキノンモノメチルエーテル３部、トリフェニルホスフィット１部及び次亜リン酸１部を添加する。水４４部を分離し、その後共沸添加剤を真空蒸留により除去する。生成物をＫ３００−フィルターを介して精製する。酸価を測定する。アクリル酸９６部の添加により、粘度を調節する。
【０２４０】
ヒドロゲルの製造
表面架橋の品質を測定するために、乾燥したヒドロゲルを以下の試験方法を用いて試験することができる。
【０２４１】
試験方法
ａ）  遠心分離保持容量（ＣＲＣ  Centrifuge Retention Capacity）
この方法の場合に、ヒドロゲルの自由膨潤能をティーバッグ中で測定する。ＣＲＣの測定のために、乾燥したヒドロゲル０．２０００＋／−０．００５０ｇ（粒度フラクション１０６〜８５０μｍ）を、６０×８５ｍｍの大きさのティーバッグ中に量り入れ、引き続きシールする。このティーバックを３０分間過剰量の０．９質量％の食塩溶液中に浸す（少なくとも０．８３ｌ食塩溶液／１ｇポリマー粉末）。引き続き、ティーバックを２５０ｇで３分間遠心分離する。液体量の測定は遠心分離したティーバックの秤量によって行う。
【０２４２】
ｂ）  加圧下での吸収能（ＡＵＬ  Absorbency Under Load）（０．７ｐｓｉ）
ＡＵＬ０．７ｐｓｉの測定のための測定セルは、内径６０ｍｍ、高さ５０ｍｍのプレキシガラス−シリンダーであり、このシリンダーは下側に接着された、メッシュ幅３６μｍの特殊鋼−メッシュ底部を有している。この測定セルには、さらに、直径５９ｍｍのプラスチックプレートと、プラスチックプレートと一緒に測定セル内に置くことができる重りとが所属する。プラスチックプレートと重りとの重量は合計で１３４５ｇである。ＡＵＬ  ０．７ｐｓｉの測定を実施するために、空のプレキシガラス−シリンダーとプラスチックプレートの重量を測定し、これをＷ０として記録する。ヒドロゲルを形成するポリマー（粒度分布１５０〜８００μｍ）０．９００＋／−０．００５ｇをプレキシガラス−シリンダー中に量り入れ、できる限り均一に特殊鋼−スクリーン底部上に分配する。引き続きプラスチックプレートを注意深くプレキシガラス−シリンダー中に入れ、全体のユニットを計量し；この重量をＷａとして記録する。そこで、プレキシガラス−シリンダー中のプラスチックプレート上に重りを置く。直径２００ｍｍ、高さ３０ｍｍのペトリ皿の中央に、直径１２０ｍｍ、多孔度０のセラミックフィルタープレートを置き、０．９質量％の塩化ナトリウム溶液を、液体表面がフィルター表面に達するが、フィルタープレートの表面が濡れていないように満たす。引き続き、直径９０ｍｍ、多孔度＜２０μｍ（S&S 589 Schwarzband, Schleicher & Schuell社）の円形の濾紙をセラミックプレート上に置く。ヒドロゲルを形成するポリマーを有するプレキシガラス−シリンダーをプラスチックプレートと重りと共に濾紙上に置き、６０分間放置する。この時間の後に、全部のユニットを濾紙のペトリ皿から取り出し、引き続きこのプレキシガラス−シリンダーから重りを取り除く。膨潤したヒドロゲルを含むプレキシガラス−シリンダーをプラスチックプレートと一緒に秤量し、この重量をＷｂとして記録する。
【０２４３】
加圧下での吸収能（ＡＵＬ）を次のように計算した：
ＡＵＬ  ０．７ｐｓｉ［ｇ／ｇ］＝［Ｗｂ−Ｗａ］／［Ｗａ−Ｗ０］
ＡＵＬ  ０．５ｐｓｉを同様に減圧で測定する。
【０２４４】
ｃ）  １６時間後に抽出可能な割合の測定(Extract. 16h)を、ＥＰ−Ａ１８１１６３６、第１３頁、第１〜１９行目に記載されているのと同様に実施した。
【０２４５】
ｄ）ヒドロゲル中の架橋剤の残留含分を測定するための方法
未反応の残留架橋剤の含分を測定するために、この残留架橋剤をまず二重抽出を用いて乾燥したヒドロゲルから抽出する。それに加えて、乾燥したヒドロゲル０．４００ｇ及び０．９質量％の食塩溶液４０ｇをシール可能でかつ遠心分離可能なアンプル中に量り入れる。このために、ジクロロメタン８ｍｌを添加し、アンプルをシールし、その後６０分間振盪させる。その後すぐに、有機相と水相とが明確に分離するように、アンプルを１５００ｒｐｍで５分間遠心分離する。
【０２４６】
第二のアンプル中に、モノエチレングリコール５０μｌを量り入れ、これにジクロロメタン抽出物約５〜６ｍｌを添加し、抽出物の重量を０．００１ｇを厳密に計量する。その後、ジクロロメタンを５０〜５５℃で蒸発させ、残留物を冷却後にメタノール−水−混合物（それぞれ５０体積部）２ｍｌを用いて取り出す。これを１０分間振盪させ、その後、ＰＴＦＥ０．４５μｍ−フィルターを介して濾過する。
【０２４７】
そのようにして得られた試料を、液相クロマトグラフィーを用いて分離し、質量分析を行う。使用した同じ架橋剤の一連の希釈に対して定量化を行う。
【０２４８】
クロマトグラフィーカラムとして、Zorbax Eclipse XDB C-8（１５０×４．６ｍｍ−５μｍ）を使用し、前置カラムとしてZorbax Eclipse XDB C-8（１２．５×４．６ｍｍ−５μｍ）を使用する。移動相として、メタノール／水−混合物（７５／２５）を使用する。
【０２４９】
勾配経過は以下の通りである：
【０２５０】
【表１】
2005532431.tif 000008
【０２５１】
流れは、圧力１６００ｐｓｉで１ｍｌ／分である。
【０２５２】
注入体積は２０μｌである。
【０２５３】
典型的な分析時間は各試料に関して１４分である。
【０２５４】
検出を、例えば８００〜１３００ｍ／ｚ（フルスキャン、ポジティブ）の範囲内での質量分析により行う。ＡＰＣＩ(Atmospheric Pressure Chemical Ionisation、陽イオン化)を用いて装置を運転させる。最適化のために、キャピラリー温度を１８０℃に調節し、ＡＰＣＩ蒸発器温度を４５０℃に調節し、ソース電流を５．０μＡに調節し、ガス流を８０ｍｌ／分に調節する。
【０２５５】
個々の調節を架橋剤に対して個別に行わねばならない。これに加えて、架橋剤の適当なキャリブレーション溶液を用いて、後で評価に関連する特性ピークを測定する。通常、主なピークを選択する。
【０２５６】
その後、残留架橋剤濃度の算出を、以下の通り行う：
ＣＯＮＣＰｒｏｂｅ＝ＡＰｒｏｂｅ×ＣＯＮＣＳｔｄ×ＶＦ／ＡＳｔｄ
ＣＯＮＣＰｒｏｂｅは、ｍｇ／ｋｇでの、乾燥したヒドロゲル中の求めたい残留架橋剤濃度である。
【０２５７】
ＣＯＮＣＳｔｄは、ｍｇ／ｋｇでの、キャリブレーション溶液中の求めたい残留架橋剤濃度である。
【０２５８】
ＡＰｒｏｂｅは、乾燥したヒドロゲルの抽出試料のピーク面積である。
【０２５９】
ＡＳｔｄは、キャリブレーション溶液のピーク面積である。
【０２６０】
ＶＦは希釈係数である：
ＶＦ＝ＭＤＣＭ×ＭＳｏｌｖ／（ＭＰｒｏｂｅ×ＭＥｘｔｒａｃｔ）
ＭＤＣＭは、抽出のためのジクロロメタンの重量である。
【０２６１】
ＭＰｒｏｂｅは、乾燥したヒドロゲルの重量である。
【０２６２】
ＭＳｏｌｖは、メタノール−水−混合物＋モノエチレングリコールの重量である。
【０２６３】
ＭＥｘｔｒａｃｔは、ジクロロメタン−抽出物の重量である。
【０２６４】
この場合、キャリブレーション（例えば０〜５０ｐｐｍの範囲内の複数の点）を用いて、測定が直線的範囲で実施されることを保証する。
【０２６５】
ｅ）鹸化指数ＶＳＩ
粉砕したゲルを２つの異なる方法で更に処理する：
後処理方法１：
粉砕したゲルを多孔板上で均質に薄層に分配し、その後、真空中で８０℃で２４時間乾燥させる。この乾燥は生成物を極めて大事に取扱いするため、最適な比較基準である。
【０２６６】
その後、乾燥したヒドロゲルを粉砕し、３００〜６００マイクロメートルの篩分級物を分離する。
【０２６７】
後処理方法２：
粉砕したゲルをまず閉鎖されたプラスチックバッグ中で９０℃で２４時間熱処理する。その後、多孔板上で均質に薄層に分配し、その後、真空中で８０℃で２４時間乾燥させる。この乾燥は、典型的な製造プラント中で生じ、かつ通常乾燥性能及び処理能力をそれと結び付く品質低下のために制限する乾燥条件をシミュレートする。
【０２６８】
乾燥したヒドロゲルを粉砕し、３００〜６００マイクロメートルの篩分級物を分離する。
【０２６９】
２つの後処理方法により得られたヒドロゲルを、ティーバッグ容量（ＣＲＣ）並びに１６時間後の抽出可能な含分を測定することにより、完全には反応していない残留架橋剤の含分に関して特性決定する。付加的に湿度を測定し、湿度が１質量％を上回る場合には湿度をこの特性を測定する際に算出に基づいて考慮する。典型的には、湿度は約５質量％である。
【０２７０】
測定値から、ゲル中の架橋剤の鹸化指数（ＶＳＩ）を以下のように算出して決定する：
ＶＳＩ＝０．５×（ＣＲＣ２−ＣＲＣ１）＋０．５×（抽出可能２−抽出可能１）
下付き文字は、ここでは、後処理方法１ないし２を表す。プラント乾燥によりティーバッグ容量が上昇するほど、及びこの場合抽出可能な分が上昇するほど鹸化指数が大きくなる。２つの寄与は同じ影響力を有する。
【０２７１】
一般に、鹸化指数が出来る限り小さい架橋剤が有利に使用される。理想的な架橋剤は、０のＶＳＩを有する。そのような架橋剤を使用することにより、品質損失なしに、プラント乾燥機の性能を技術的に達成可能な最大まで高めることが可能となる。その理由は、重合の間に生じる架橋  −及びそれに伴う最終生成物の特性−  が、加水分解によって乾燥の際にもはや変化しないことである。
【０２７２】
実施例３  実施例２ａからのアクリル酸エステル及び別の内部架橋剤を使用した高吸収体の製造
実施例ａ
耐酸性プラスチック浴中で、アクリル酸３０５ｇ及び３７．３質量％のアクリル酸ナトリウム溶液３２０４ｇを蒸留水１４６５ｇ中に溶解させる。これに、架橋剤としてのグリセリン−３ＥＯ−トリアクリレート１２．２ｇ、並びにＶ−５０（２，２’−アゾビスアミジノプロパンジヒドロクロリド）０．６１ｇ及び開始剤としての過硫酸ナトリウム３．０５ｇを添加する。この場合、開始剤を有利にバッチ水の一部に予め溶解させる。バッチを数分間良好に撹拌する。
【０２７３】
その後、浴中のプラスチックフィルムで被覆された溶液を通じて約３０分間窒素ガス気泡を発生させ、酸素を除去し、かつ架橋剤を均質に分配させる。最後に、水５ｇ中に溶解された過酸化水素０．２４４ｇ及び水５ｇ中に溶解されたアスコルビン酸をこれに添加する。反応の開始時の開始温度は１１〜１３℃であるのが有利である。反応溶液の層厚は約６ｃｍである。数分後に反応が開始し、断熱的に完全に反応させ、ゲルを後処理する前に３０分を上回らずに断熱浴を更に静置する。
【０２７４】
ゲルの後処理のために、ゲルブロックをまず打ち砕いて破片にし、その後、６ｍｍ−開口プレート(Lochscheibe)を有する肉挽き機により粉砕する。
【０２７５】
粉砕したゲルを２つの異なる方法で更に処理する：
後処理方法１：
粉砕したゲルを多孔板上で均質に薄層に分配し、その後、真空中で８０℃で２４時間乾燥させる。この乾燥は生成物を極めて大事に取扱いするため、最適な比較基準である。その後、乾燥したヒドロゲルを粉砕し、３００〜６００マイクロメートルの篩分級物を分離する。
【０２７６】
後処理方法２：
粉砕したゲルをまず閉鎖されたプラスチックバッグ中で９０℃で２４時間熱処理する。その後、多孔板上で均質に薄層に分配し、その後、真空中で８０℃で２４時間乾燥させる。この乾燥は、典型的な製造プラント中で生じ、かつ通常乾燥性能及び処理能力をそれと結び付く品質低下のために制限する乾燥条件をシミュレートする。
【０２７７】
乾燥したヒドロゲルを粉砕し、３００〜６００マイクロメートルの篩分級物を分離する。
【０２７８】
実施例ａと同様に、以下の他の実施例を調製する。
【０２７９】
【表２】
2005532431.tif 000009
【０２８０】
これらのヒドロゲルの達成された特性を第２表にまとめる：
【０２８１】
【表３】
2005532431.tif 000010
【０２８２】
後架橋：
乾燥した標準のベースポリマー粉末に、  −使用したポリマーに対してそれぞれ−  エチレングリコールジグリシジルエーテル（Nagase社、日本国）０．０６質量％、水３．４３質量％及びプロパンジオール−１，２  １．４７質量％から成る溶液を撹拌下に均質に噴霧する。
【０２８３】
その後、湿潤した粉末を、乾燥炉中で１５０℃で６０分間熱処理する。その後、再度８５０マイクロメートルで篩別し、凝集物を除去する。この後架橋されたポリマーの特性を測定する。
【手続補正書】
【提出日】平成16年9月11日(2004.9.11)
【手続補正１】
【補正対象書類名】特許請求の範囲
【補正対象項目名】全文
【補正方法】変更
【補正の内容】
【特許請求の範囲】
【請求項１】
式Ｉａ
【化１】
2005532431.tif 000015
［式中、
ＡＯは各ＡＯに関して互いに無関係にＥＯ又はＰＯを表し、
その際、ＥＯはＯ−ＣＨ2−ＣＨ2−を表し、
ＰＯは互いに無関係にＯ−ＣＨ2−ＣＨ（ＣＨ3）−又はＯ−ＣＨ（ＣＨ3）−ＣＨ2−を表し、
ｐ1＋ｐ2＋ｐ3は３、４又は５であり、
Ｒ１、Ｒ２、Ｒ３は互いに無関係にＨ又はＣＨ3であり、
その際、少なくとも１個のＡＯがＰＯを表し、少なくとももう１個のＡＯがＥＯを表す］
のエステルＦ。
【請求項２】
式Ｉｂ
【化２】
2005532431.tif 000016
［式中、
ＥＯはＯ−ＣＨ2−ＣＨ2−を表し、
ＰＯは互いに無関係にＯ−ＣＨ2−ＣＨ（ＣＨ3）−又はＯ−ＣＨ（ＣＨ3）−ＣＨ2−を表し、
ｍ1＋ｍ2＋ｍ3＋ｎ1＋ｎ2＋ｎ3は３、４又は５であり、
ｍ1＋ｍ2＋ｍ3は１、２、３又は４であり、
Ｒ１、Ｒ２、Ｒ３は互いに無関係にＨ又はＣＨ3であり、
その際、少なくとも１個のＡＯがＰＯを表し、少なくとももう１個のＡＥがＥＯを表す］
のエステルＦ。
【請求項３】
式Ｉｃ
【化３】
2005532431.tif 000017
［式中、
ＥＯはＯ−ＣＨ2−ＣＨ2−を表し、
ＰＯは互いに無関係にＯ−ＣＨ2−ＣＨ（ＣＨ3）−又はＯ−ＣＨ（ＣＨ3）−ＣＨ2−を表し、
ｍ1＋ｍ2＋ｍ3＋ｎ1＋ｎ2＋ｎ3は３、４又は５であり、
ｍ1＋ｍ2＋ｍ3は１、２、３又は４であり、
Ｒ１、Ｒ２、Ｒ３は互いに無関係にＨ又はＣＨ3であり、
その際、少なくとも１個のＡＯがＰＯを表し、少なくとももう１個のＡＥがＥＯを表す］
のエステルＦ。
【請求項４】
ｍ1＋ｍ2＋ｍ3＋ｎ1＋ｎ2＋ｎ3、又はｐ1＋ｐ2＋ｐ3が３又は５である、請求項１から３までのいずれか１項記載のエステルＦ。
【請求項５】
全部で３個のＰＯが存在している、請求項１から４までのいずれか１項記載のエステルＦ。
【請求項６】
グリセリンの３個のアルコキシ鎖のそれぞれの中に少なくとも１個のＰＯが存在している、請求項１から５までのいずれか１項記載のエステルＦ。
【請求項７】
式ＩＩａ、ＩＩｂ又はＩＩｃ
【化４】
2005532431.tif 000018
［式中、
ＡＯ、ＥＯ、ＰＯ、ｎ1、ｎ2、ｎ3、ｍ1、ｍ2、ｍ3、ｐ1、ｐ2、ｐ3は請求項１から６までのいずれか１項に記載された意味を有する］
のアルコキシル化されたグリセリンと（メタ）アクリル酸との請求項１から６までのいずれか１項記載のエステルＦの製造法において、以下の工程：
ａ）アルコキシル化されたグリセリンと（メタ）アクリル酸とを、少なくとも１種のエステル化触媒Ｃ及び少なくとも１種の重合抑制剤Ｄ、並びに場合により、水と共沸混合物を形成する溶剤Ｅの存在で、エステルＦの形成下に反応させる工程
ｂ）場合により、ａ）で生じた水の少なくとも一部を反応混合物から除去する工程、その際、ｂ）を、ａ）の間及び／又は後に行うことができる
ｆ）場合により、反応混合物を中和させる工程
ｈ）溶剤Ｅを使用する場合、場合によりこの溶剤を蒸留により除去する工程、及び／又は
ｉ）反応条件下で不活性であるガスを用いてストリッピングする工程
を含むことを特徴とする、請求項１から６までのいずれか１項記載のエステルＦの製造法。
【請求項８】
−モル過剰の（メタ）アクリル酸対アルコキシル化されたグリセリンが少なくとも３．１５：１であり、かつ
−最後の工程の後に得られた反応混合物中に含有される、場合により中和された（メタ）アクリル酸が、本質的に反応混合物中に残留する
請求項７記載の方法。
【請求項９】
以下の工程：
ａ）アルコキシル化されたグリセリンと（メタ）アクリル酸とを、少なくとも１種のエステル化触媒Ｃ及び少なくとも１種の重合抑制剤Ｄ、並びに場合により、水と共沸混合物を形成する溶剤Ｅの存在で、エステルＦの形成下に反応させる工程
ｂ）場合により、ａ）で生じた水の少なくとも一部を反応混合物から除去する工程、その際、ｂ）を、ａ）の間及び／又は後に行うことができる
ｆ）場合により、反応混合物を中和させる工程
ｈ）溶剤Ｅを使用する場合、場合によりこの溶剤を蒸留により除去する工程、及び／又は
ｉ）反応条件下で不活性であるガスを用いてストリッピングする工程
を含む、式ＩＩａ、ＩＩｂ又はＩＩｃ
【化５】
2005532431.tif 000019
［式中、
ＡＯは各ＡＯに関して互いに無関係にＥＯ又はＰＯを表し、
その際、ＥＯはＯ−ＣＨ2−ＣＨ2−を表し、
ＰＯは互いに無関係にＯ−ＣＨ2−ＣＨ（ＣＨ3）−又はＯ−ＣＨ（ＣＨ3）−ＣＨ2−を表し、
ｐ1＋ｐ2＋ｐ3は３、４又は５であり、
Ｒ１、Ｒ２、Ｒ３は互いに無関係にＨ又はＣＨ3である］
のアルコキシル化されたグリセリンと（メタ）アクリル酸との請求項１から６までのいずれか１項記載のエステルＦの製造法において、
−モル過剰の（メタ）アクリル酸対アルコキシル化されたグリセリンが少なくとも３．１５：１であり、かつ
−最後の工程の後に得られた反応混合物中に含有される、場合により中和された（メタ）アクリル酸が、本質的に反応混合物中に残留する
ことを特徴とする、請求項１から６までのいずれか１項記載のエステルＦの製造法。
【請求項１０】
（メタ）アクリル酸を、最後の工程の後に得られたエステルＦを含有する反応混合物から、７５質量％以下分離する、請求項７から９までのいずれか１項記載の方法。
【請求項１１】
最後の工程の後に得られたエステルＦを含有する反応混合物が、少なくとも２５ｍｇＫＯＨ／ｇのＤＩＮ  ＥＮ３６８２による酸価を有する、請求項７から１０までのいずれか１項記載の方法。
【請求項１２】
最後の工程の後に得られたエステルＦを含有する反応混合物が、少なくとも０．５質量％の（メタ）アクリル酸の含分を有する、請求項７から１１までのいずれか１項記載の方法。
【請求項１３】
反応ａ）において、（メタ）アクリル酸対アルコキシル化されたグリセリンのモル比が少なくとも１５：１である、請求項７から１２までのいずれか１項記載の方法。
【請求項１４】
架橋されたヒドロゲルの製造法において、以下の工程
ｋ）請求項１から６までのいずれか１項記載のエステルＦ、又は式Ｉａ
【化６】
2005532431.tif 000020
［式中、
ＡＯは各ＡＯに関して互いに無関係にＥＯ又はＰＯを表し、
その際、ＥＯはＯ−ＣＨ2−ＣＨ2−を表し、
ＰＯは互いに無関係にＯ−ＣＨ2−ＣＨ（ＣＨ3）−又はＯ−ＣＨ（ＣＨ3）−ＣＨ2−を表し、
ｐ1＋ｐ2＋ｐ3は３、４又は５であり、
Ｒ１、Ｒ２、Ｒ３は互いに無関係にＨ又はＣＨ3である］
のエステルＦと、（メタ）アクリル酸と、場合により付加的なモノエチレン性不飽和化合物Ｎと、並びに場合により、少なくとももう１種の共重合可能な親水性モノマーＭとを、少なくとも１種のラジカル開始剤Ｋ及び場合により少なくとも１種のグラフト基体Ｌの存在で重合させる工程
ｌ）場合により、ｋ）から得られた反応混合物を後架橋させる工程
ｍ）ｋ）又はｌ）から得られた反応混合物を乾燥させる工程、及び
ｎ）場合により、ｋ）、ｌ）又はｍ）から得られた反応混合物を粉砕及び／又は篩別する工程
を含むことを特徴とする、架橋されたヒドロゲルの製造法。
【請求項１５】
エステルＦにおいてＡＯがＥＯを表す、請求項１４記載の方法。
【請求項１６】
架橋されたヒドロゲルの製造法において、請求項７から１５までのいずれか１項記載の工程ａ）からｉ）、及び付加的に、以下の工程
ｋ）進行する場合には工程ａ）からｉ）の１つからの反応混合物と、場合により付加的なモノエチレン性不飽和化合物Ｎと、並びに場合により、少なくとももう１種の共重合可能な親水性モノマーＭとを、少なくとも１種のラジカル開始剤Ｋ及び場合により少なくとも１種のグラフト基体Ｌの存在で重合させる工程
ｌ）場合により、ｋ）から得られた反応混合物を後架橋させる工程
ｍ）ｋ）又はｌ）から得られた反応混合物を乾燥させる工程、及び
ｎ）場合により、ｋ）、ｌ）又はｍ）から得られた反応混合物を粉砕及び／又は篩別する工程
を含むことを特徴とする、架橋されたヒドロゲルの製造法。
【請求項１７】
請求項１４から１６までのいずれか１項記載の方法により得ることができるポリマー。
【請求項１８】
架橋されたヒドロゲルにおいて、請求項１から６までのいずれか１項記載のエステルＦ、又は式Ｉａ
【化７】
2005532431.tif 000021
［式中、
ＡＯは各ＡＯに関して互いに無関係にＥＯ又はＰＯを表し、
その際、ＥＯはＯ−ＣＨ2−ＣＨ2−を表し、
ＰＯは互いに無関係にＯ−ＣＨ2−ＣＨ（ＣＨ3）−又はＯ−ＣＨ（ＣＨ3）−ＣＨ2−を表し、
ｐ1＋ｐ2＋ｐ3は３、４又は５であり、
Ｒ１、Ｒ２、Ｒ３は互いに無関係にＨ又はＣＨ3である］
のエステルＦで架橋され、重合導入された形の少なくとも１種の親水性モノマーＭを含有することを特徴とする、架橋されたヒドロゲル。
【請求項１９】
架橋されたヒドロゲルにおいて、請求項７から１３までのいずれか１項記載の方法により得ることができるようなエステルＦを含有する反応混合物で架橋され、重合導入された形の少なくとも１種の親水性モノマーＭを含有することを特徴とする、架橋されたヒドロゲル。
【請求項２０】
衛生用品、包装材料における、及び不織布における、請求項１７から１９までのいずれか１項記載のポリマーの使用。
【請求項２１】
物質混合物において、以下：
−請求項１から６までのいずれか１項記載の少なくとも１種のエステルＦ、又は式Ｉａ
【化８】
2005532431.tif 000022
［式中、
ＡＯは各ＡＯに関して互いに無関係にＥＯ又はＰＯを表し、
その際、ＥＯはＯ−ＣＨ2−ＣＨ2−を表し、
ＰＯは互いに無関係にＯ−ＣＨ2−ＣＨ（ＣＨ3）−又はＯ−ＣＨ（ＣＨ3）−ＣＨ2−を表し、
ｐ1＋ｐ2＋ｐ3は３、４又は５であり、
Ｒ１、Ｒ２、Ｒ３は互いに無関係にＨ又はＣＨ3である］
のエステルＦ及び（メタ）アクリル酸  ０．１〜４０質量％、
−少なくとも１種の親水性モノマーＭ  ０．５〜９９．９質量％
−少なくとも１種のエステル化触媒Ｃ  ０〜１０質量％
−少なくとも１種の重合抑制剤Ｄ  ０〜５質量％、及び
−溶剤Ｅ  ０〜１０質量％
を含有するが、但し、合計は常に１００質量％であることを特徴とする物質混合物。
【請求項２２】
付加的に、
−希釈剤Ｇ  １００質量％まで
を含有する、請求項２１記載の物質混合物。
【請求項２３】
架橋されたヒドロゲルにおいて、請求項２１又は２２記載の物質混合物と、付加的に以下の工程
ｌ）場合により、得られた反応混合物を後架橋させる工程
ｍ）直接得られたか又はｌ）から得られた反応混合物を乾燥させる工程、及び
ｎ）場合により、直接得られたか又はｌ）又はｍ）から得られた反応混合物を粉砕及び／又は篩別する工程
とから得ることができることを特徴とする、架橋されたヒドロゲル。
【請求項２４】
−吸水性ヒドロゲルのラジカル架橋剤としての
−ポリマー分散液の製造のための出発物質としての
−ポリアクリレートの製造のための出発物質としての
−ラッカー原料としての、又は
−セメント添加物としての、
請求項７から１３までのいずれか１項の記載により得ることができる反応混合物、又は、請求項２１又は２２記載の物質混合物の使用。
【請求項２５】
１０未満、有利に８未満、殊に５未満の鹸化指数を有する、架橋されたヒドロゲル。
【請求項２６】
１１未満、有利に１０未満、殊に有利に８未満、殊に５未満の鹸化指数を有する、請求項１７、１８、１９又は２３のいずれか１項記載の架橋されたヒドロゲル。
【請求項２７】
１０ｐｐｍ未満、有利に８ｐｐｍ未満、殊に有利に５ｐｐｍ未満の残留架橋剤含分を有する、請求項１７、１８、１９、２３、２５又は２６のいずれか１項記載の架橋されたヒドロゲル。
【請求項２８】
水性液体を吸収するヒドロゲルを形成するポリマーを製造するための、請求項１から６までのいずれか１項記載のエステルＦ、又は式Ｉａ
【化９】
2005532431.tif 000023
［式中、
ＡＯは各ＡＯに関して互いに無関係にＥＯ又はＰＯを表し、
その際、ＥＯはＯ−ＣＨ2−ＣＨ2−を表し、
ＰＯは互いに無関係にＯ−ＣＨ2−ＣＨ（ＣＨ3）−又はＯ−ＣＨ（ＣＨ3）−ＣＨ2−を表し、
ｐ1＋ｐ2＋ｐ3は３、４又は５であり、
Ｒ１、Ｒ２、Ｒ３は互いに無関係にＨ又はＣＨ3である］
のエステルの使用。
【国際調査報告】
2005532431.tif 000024
2005532431.tif 000025
2005532431.tif 000026
2005532431.tif 000027
2005532431.tif 000028
2005532431.tif 000029